(57)【要約】インターネット機器（「iphone(s)」）の利用手法の説明。「iphone(s)」は、「URLs」やURLと口座名（「URL(s)」）を受信（そしてカメラが付帯すると、認識）するよう、そして広告媒体は、これを送信するよう、構成されます。これらの「URL(s)」は、例えば、１）登録番号で車両に、２）小売店の商品に、３）個人に（他人が相手に気づかれる事なくその対応するWEBサイトにアクセスできるように）等にアサインする事ができます。この仕様は、企業が、余剰スペースを、商品・サービスを提供するフリーマーケット者に賃貸し、必要な時運搬できるようにします。共通の利益グループから成るオンラインコミュニティーは、フラクタル形体において本件手法を有効に利用できるでしよう。w_w.MblCam.Comコミュニティーは、「iphone-camera」オーナーと写真家やメディアグループを巻き込み、オンライン撮影サービスを提供できるでしよう。「URL(s)」と電子メールアドレスは顧客を増やす為の広告手段に使用できます。【特許請求の範囲】
【請求項１】
本件通信システムは、URLをもつオンライン・コミュニティのWEBサイトを開設提供するホストサーバーと、そのWEBサイトに付随するオンライン・コミュニティーであって、共通点を有する第１グループ及びそれと異なる共通点を有する第２グループからなるオンライン・コミュニティーと、インターネットを介しつながったホストサーバーと少なくとも一部無線で通信する為に、少なくとも第１グループの一員により使用されるインターネットに接続可能な電話のような移動体機器と、第２グループ団体及びそのオンラインコミュニティーを構成する第１グループ団体との間に通信を供するWEBサイトにアクセスする為に、そのWEBサイトのURLに付随する情報を入力する入力装置とを含む事を特徴とするシステムとビジネス方法。
【請求項２】
前記「請求項１」に記載する通信システムにおいて、当該WEBサイトのオンライン・コミュニティーURLに付随する情報は、そのWEBサイトのURLを含む事を特徴とするシステムとビジネス方法。
【請求項３】
前記「請求項１」に記載する通信システムは、更に、それぞれがそのオンライン・コミュニティーのWEBページにリンクする為に、当該入力装置に入力するそのオンライン・コミュニティーのURLを要素とするユニークなURLをそれぞれ持つ複数の対象物体もしくはサービスを含む事を特徴とするシステムとビジネスの方法。
【請求項４】
前記「請求項１」に記載する通信システムにおいて、当該入力装置はインターネット上でWEBサイトにアクセスする為そのURLを入力する為のキーを含む事を特徴とするシステムとビジネスの方法。
【請求項５】
前記「請求項１」に記載する通信システムにおいて、URLは第２グループに付随する対象物体に表示され、入力装置はそのURLのイメージを捕捉する為その移動体機器に付属するカメラ及び捕捉したイメージからURLを認識する為にその移動体機器に付随する認識ソフトを含む事を特徴とするシステムとビジネスの方法。
【請求項６】
前記「請求項５」に記載する通信システムにおいて、その対象物体は、車両である事を特徴とするシステムとビジネスの方法。
【請求項７】
前記「請求項５」に記載する通信システムにおいて、その対象物体は、第２グループに付随する人である事を特徴とするシステムとビジネスの方法。
【請求項８】
前記「請求項１」に記載する通信システムは、更に、移動体機器をインターネットにリンクする為、その移動体機器から離れた場所に設置された第１の送受信機と、その移動体機器に対しそのURLを放送する為、その移動体機器から離れた場所に設置された第２の送受信機を含む事を特徴とし、更にその入力装置は、インターネット上のWEBサイトにアクセスする事を目的とし、その放送されたURLを受信する為に移動体機器に添付された受信機及びその放送内容の中からURLを認識する為その移動体機器に関連づけられたソフトウエアから構成される事を特徴とするシステムとビジネスの方法。
【請求項９】
前記「請求項８」に記載する通信システムにおいて、その放送は、電磁はあるいは音波である事を特徴とするシステムとビジネスの方法。
【請求項１０】
前記「請求項９」に記載する通信システムにおいて、第２の送受信機は、その移動体機器が受信できる範囲内に設置された複数の第２送受信機、及びその複数の第２送受信機より放送される複数のURLを受信し、そのURLに関連づけられたWEBサイトにアクセスする為受信したURLより１個以上のURLを選択する為スキャンする受信機を持つ移動体機器を含む事を特徴とするシステムとビジネスの方法。
【請求項１１】
前記「請求項９」に記載する通信システムにおいて、その放送は、第２グループに付随する車両、看板、商品、動物、人から構成されるグループに付随する少なくとも１個の対象物体に具備された送受信機から送信される事を特徴とするシステムとビジネスの方法。
【請求項１２】
前記「請求項９」に記載する通信システムにおいて、その放送は、１個の対象物体に具備された送受信機より放送され、その放送は、そのオンライン・コミュニティーのWEBページを介し、その対象物体に関連づけられたある１個のWEBページにアクセスする為のユニークなURLに付随する情報を含む事を特徴とするシステムとビジネスの方法。
【請求項１３】
前記「請求項１」に記載する通信システムにおいて、その移動体機器は、WEBサイト上で第２グループ団体と第１グループ団体との間における通信の用に供する為、第１グループ団体のメンバーにより使用される複数の第１グループ移動体機器のうちの１個に加え、更に、第２グループ団体のメンバーにより使用される複数の第２グループ移動体機器を含む事を特徴とするシステムとビジネスの方法。
【請求項１４】
前記「請求項１３」に記載する通信システムにおいて、第１グループ団体の共通点は見込客であり、もう一方の第２グループの共通点は彼らが売り主である事を特徴とするシステムとビジネスの方法。
【請求項１５】
前記「請求項１３」に記載する通信システムにおいて、第２グループのメンバーは、複数の第２グループ移動体機器を利用し、他の第２グループの他のメンバーの用に供する為余剰要量を宣伝広告する事を特徴とするシステムとビジネスの方法。
【請求項１６】
前記「請求項１３」に記載する通信システムにおいて、第２グループ団体の共通点は、商品もしくはサービスを提供している事であり、第１グループの共通点は、当該第２グループ団体から提供されるその商品もしくはサービスの受領見込者である事を特徴とするシステムとビジネスの方法。
【請求項１７】
前記「請求項１４」に記載する通信システムは、更に、少なくとも一売り主による販売商品を含み、少なくとも一個の第２グループ移動体機器が、少なくとも一売り主により、少なくとも一売り主から少なくとも一見込客に対しその商品を譲渡する為の集合場所をアレンジする為少なくとも１個以上の第一グループ移動体機器が使用される事を特徴とするシステムとビジネスの方法。
【請求項１８】
前記「請求項１７」に記載する通信システムにおいて、その集合場所は、第２グループ団体メンバーの敷地内である事を特徴とするシステムとビジネスの方法。
【請求項１９】
前記「請求項１７」に記載する通信システムにおいて、第２グループ団体メンバーは、複数の第２グループ移動体機器を利用し、商品を展示する為に他の第２グループ団体メンバーの用に供する余剰スペースを宣伝する事を特徴とするシステムとビジネスの方法。
【請求項２０】
前記「請求項１３」に記載する通信システムにおいて、第２グループ団体メンバーは、複数の第２グループ移動体機器を利用し、第２グループ団体の余剰スペースの為に、第２グループ団体の他のメンバーと契約する事を特徴とするシステムとビジネスの方法。
【請求項２１】
前記「請求項１７」に記載する通信システムは、更に、その集合場所で少なくとも一売り主による追加商品の販売を含む事を特徴とするシステムとビジネスの方法。
【請求項２２】
前記「請求項１４」に記載する通信システムは、更に、売り主の車両に商品在庫が保管される事及び、少なくともその商品在庫の一部を少なくとも売り主の一人から少なくとも見込み客の一人に譲渡する目的で、通行経路上双方にとって合意できる停止場所を調整する為、複数の第１グループ移動体機器を介し見込み客と通信する事を目的とし、複数の第２グループ移動体機器が、売り主により利用される事を特徴とするシステムとビジネスの方法。
【請求項２３】
前記「請求項１４」に記載する通信システムにおいて、見込み客は、第１グループ移動体機器を介し売り主より提供される福引き抽選に参加する事を特徴とするシステムとビジネスの方法。
【請求項２４】
前記「請求項２３」に記載する通信システムにおいて、その見込み客が少なくとも一名の売り主との相互作用と引き換えに福引き抽選に参加した事を確定する為、その見込み客と複数の売り主の間のオンライン相互作用に関し電子記録が作られる事を特徴とするシステムとビジネスの方法。
【請求項２５】
前記「請求項２３」に記載する通信システムにおいて、福引き抽選はビンゴまたはキーノによるものである事を特徴とするシステムとビジネスの方法。
【請求項２６】
前記「請求項１４」に記載する通信システムにおいて、その見込み客は、売り主から商品を購入する事と引き替えに、賞品を得る事を目的に福引き抽選する機会を与えられる事を特徴とするシステムとビジネスの方法。
【請求項２７】
前記「請求項１４」に記載する通信システムにおいて、その見込み客は、第１グループの移動体機器を介し売り主の情報にアクセスする事と引き替えに、賞品を得る事を目的に福引き抽選する機会を与えられる事を特徴とするシステムとビジネスの方法。
【請求項２８】
前記「請求項１４」に記載する通信システムにおいて、その見込み客は、第１グループの移動体機器を介し、売り主により提供される販売促進的な福引き抽選に参加する事を特徴とするシステムとビジネスの方法。
【請求項２９】
前記「請求項１４」に記載する通信システムにおいて、その売り主は、第１グループの移動体機器を介し、その見込み客に値引きを提供する事を特徴とするシステムとビジネスの方法。
【請求項３０】
前記「請求項１４」に記載する通信システムにおいて、その売り主は、第１グループの移動体機器を介し、その見込み客に対し販売促進を提供する事を特徴とするシステムとビジネスの方法。
【請求項３１】
前記「請求項１」に記載する通信システムにおいて、第２グループ団体と第１グループ団体の間の交信は、第１グループ団体のメンバーより要求された第２グループ団体のメンバーからの情報を含む事、及びその情報には、その移動体機器が、その情報に関するパケットサイズを計算する手段及び、そのパケットサイズがその移動体機器で使用できるメモリー量を超えた場合、第１グループ団体のメンバーに警告する手段を含む事を特徴とするシステムとビジネスの方法。
【請求項３２】
前記「請求項１」に記載する通信システムにおいて、第２グループ団体と第１グループ団体間の交信は、第１グループ団体のメンバーから第２グループのメンバーに対し、第１グループ団体のメンバーが第２グループ団体のメンバーから販売目的で提供される商品及びサービスに関し交渉を望む意思を表示する為に電子メールを送付する事を特徴とするシステムとビジネスの方法。
【請求項３３】
前記「請求項１」に記載する通信システムにおいて、第２グループ団体と第１グループ団体との間の交信は、第１グループ団体のメンバーと第２グループ団体のメンバーとの間のオンライン販売交渉を含み、そのオンライン販売交渉に関し、記録が作られる事を特徴とするシステムとビジネスの方法。
【請求項３４】
前記「請求項１」に記載する通信システムは、更に、そのオンラインコミュニティーに対し、そのホストサーバーによって、ホームページのホスティング及び電子メールのサービスが提供される事を含む事を特徴とするシステムとビジネスの方法。
【請求項３５】
前記「請求項１」に記載する通信システムにおいて、第１グループ団体のメンバーは、第２グループ団体に新メンバーをリクルートする事に関し利益を享受できる事を特徴とするシステムとビジネスの方法。
【請求項３６】
前記「請求項３４」に記載する通信システムにおいて、第２グループ団体は、第１グループ団体に対し、そのオンラインコミュニティーURLを取り入れたホームページ及びそのオンラインコミュニティーURLを取り入れた電子メールアドレスを持つ電子メールアカウントを提供する事を特徴とするシステムとビジネスの方法。
【請求項３７】
前記「請求項１」に記載する通信システムは、更に、そのオンラインコミュニティーのURLを取り入れた第２のオンラインコミュニティーURLの一部を持つ第２のオンラインコミュニティーのWEBサイトをホスティングする為、第２グループ団体のメンバーにより使用される第２のホストサーバー含む事を特徴とするシステムとビジネスの方法。
【請求項３８】
前記「請求項３７」に記載する通信システムにおいて、第１のホストサーバーは、第２のグループ団体により、第１のグループ団体に対し提供されるホームページ（第１のオンラインコミュニティーURLを取り入れた第１グループのURLをもつホームページ）を、更に、第１のホストサーバーは、第２のグループ団体により、第１のグループ団体に対し提供される電子メールアカウント（第１のオンラインコミュニティーURLを同様に取り入れた電子メールアドレスをもつ電子メールアカウント）を、ホストする事を特徴とし、
第２のホストサーバーは、第４のグループ団体により、第３のグループ団体に対し提供されるホームページ（第２のオンラインコミュニティーURLを取り入れた第３グループのURLをもつホームページ）を、更に、第２のホストサーバーは、第４のグループ団体により、第３のグループ団体に対し提供される電子メールアカウント（第２のオンラインコミュニティーURLを同様に取り入れた電子メールアドレスをもつ電子メールアカウント）を、ホストする事を特徴とするシステムとビジネスの方法。
【請求項３９】
前記「請求項３８」に記載する通信システムにおいて、その移動体機器は、第１グループ団体のメンバーにより使用される複数の第１グループ移動体機器の１個であって、第２グループ団体のメンバーにより、WEBサイトを介し第２グループ団体と第１グループ団体の間の交信を提供する為に使用される複数の第２グループの移動体機器を含む事を特徴とし、更に、第２及び第４グループ団体のメンバーは、その移動体機器を利用する第１及び第３のグループ団体のメンバーに対し値引きする事、そして、第２及び第４グループ団体のメンバーは、同様にその移動体機器を利用する、第１及び第３グループ団体から購買する事を特徴とするシステムとビジネスの方法。
【請求項４０】
前記「請求項３７」に記載する通信システムは、更に、第２のオンラインコミュニティーWEBサイトをホスティングする第２グループ団体のメンバーの為の広告（第３グループ団体が、第２グループ団体のメンバーによる第２オンラインコミュニティーのWEBサイトのホステイングを促進できるよう、第２オンラインコミュニティーのURLを取り入れた第３グループ団体のURLの一部からなる広告、及び第２オンラインコミュニティーのURLを取り入れた電子メールアドレスの一部からなる広告）を含む事を特徴とするシステムとビジネスの方法。
【請求項４１】
前記「請求項３８」に記載する通信システムは、更に、第３のオンラインコミュニティーURL（第２のオンラインコミュニティーURL及び第１のオンラインコミュニティーURLを取り入れた第３のオンラインコミュニティーURLの一部）を持つ第３のオンラインコミュニティーWEBサイトをホストする為に、第４のグループ団体のメンバーにより使用される第３のホストサーバーを含む事を特徴とし、更に、第３のオンラインコミュニティーWEBサイトに付随する第３のオンラインコミュニティー（共通点を共有する第５グループ団体とそれと異なる共通点を共有する第６グループ団体からなる第３のオンラインコミュニティー）を含む事を特徴とするシステムとビジネスの方法。
【請求項４２】
前記「請求項１」に記載する通信システムにおいて、第６のグループ団体により、第５のグループ団体に対し提供されるホームページ（第２オンラインコミュニティーURLを取り入れた第５グループURLを持つホームページ）を、ホストする第３のホストサーバーを含む事を特徴とし、更に、第６のグループ団体により、第５のグループ団体に対し提供される電子メールアカウント（第２オンラインコミュニティーURLを同様に取り入れた電子メールアドレスを持つ電子メールアカウント）を、ホストする第３のホストサーバーを含む事を特徴とするシステムとビジネスの方法。
【請求項４３】
前記「請求項４２」に記載する通信システムにおいて、その移動体機器は、第１グループ団体のメンバーにより使用される複数の第１グループ移動体機器の１個であって、第２グループ団体のメンバーにより、WEBサイトを介し第２グループ団体と第１グループ団体間の交信を提供する為に使用される複数の第２グループの移動体機器を含む事を特徴とし、更に、第６団体のメンバーは、その移動体機器を利用する、第１、第３、第５のグループ団体のメンバーに対し値引きを提供する事、及び、第１、第３、第５グループ団体のメンバーは、同様にその移動体機器を利用する、第２、第４、第６グループ団体から購買する事を特徴とするシステムとビジネスの方法。
【請求項４４】
前記「請求項３９」に記載する通信システムにおいて、第２及び第４ループ団体のメンバーのうちいく人かは、第２、第４のグループ団体の他のメンバーにより提供されるその値引きを閲覧する事ができない事を特徴とするシステムとビジネスの方法。
【請求項４５】
前記「請求項３９」に記載する通信システムにおいて、第１及び第３グループ団体のメンバーのうちいく人かは、第１及び第３のグループ団体の他のメンバーにより提供されるその値引きを閲覧する事ができない事を特徴とするシステムとビジネスの方法。
【請求項４６】
前記「請求項１」に記載する通信システムは、更に、その実体の所有株と引き替え販売された余剰商品を含み、その余剰商品は、移動体機器を利用し、第１のオンラインコミュニティーを介し通信する事により、第２グループ団体により第１グループ団体に対し販売される事を特徴とするシステムとビジネスの方法。
【請求項４７】
前記「請求項４６」に記載する通信システムにおいて、余剰商品は、ある時点での余剰キャパ（容量）である事を特徴とするシステムとビジネスの方法。
【請求項４８】
前記「請求項４６」に記載する通信システムにおいて、余剰商品は、一定の期間に提供されるスペースである事を特徴とするシステムとビジネスの方法。
【請求項４９】
前記「請求項４６」に記載する通信システムにおいて、余剰商品は、エアラインの席である事を特徴とするシステムとビジネスの方法。
【請求項５０】
前記「請求項４６」に記載する通信システムにおいて、余剰商品は、お店の余剰スペースである事を特徴とするシステムとビジネスの方法。
【請求項５１】
前記「請求項１」に記載する通信システムにおいて、余剰商品は、一定の期間におけるお店の余剰スペースである事を特徴とするシステムとビジネスの方法。
【請求項５２】
前記「請求項１」に記載する通信システムは、更に、含む事を特徴とするシステムとビジネスの方法。
【請求項５３】
前記「請求項１」に記載する通信システムにおいて、第１グループ団体のメンバーは、URLを持つ求職者である事、そして、第２グループ団体のメンバーは、誰にもわからないように第１グループ団体のメンバーに付随する少なくとも一つのURLを取得し、少なくともその第１グループ団体のメンバーのうち一人の身分をチェックする目的で、そのオンラインコミュニティーのWEBサイトにアクセスする為、そのURLを入力装置に入力する雇用主見込者である事を特徴とするシステムとビジネスの方法。
【請求項５４】
前記「請求項１」に記載する通信システムにおいて、第２グループ団体のメンバーは、URLを持つ事、そして、第１グループ団体のメンバーは、誰にもわからないように第２グループ団体のメンバーに付随する少なくとも一つのURLを取得し、少なくともその第２グループ団体のメンバーのうち一人の情報をチェックする目的で、そのオンラインコミュニティーのWEBサイトにアクセスする為、そのURLを入力装置に入力する事を特徴とするシステムとビジネスの方法。
【請求項５５】
前記「請求項１」に記載する通信システムにおいて、第２グループ団体のメンバーは、連れ人を望みURLを持つ事、そして、第１グループ団体のメンバーも同様に連れ人を望み、そのオンラインコミュニティーのWEBサイトを介し通信する為、その移動体機器を利用しながら、少なくともその第２グループ団体のメンバーのうち一人のバックグラウンドをチェックする目的で、誰にもわからないように第２グループ団体のメンバーに付随するURLを取得する事を特徴とするシステムとビジネスの方法。
【請求項５６】
前記「請求項１」に記載する通信システムにおいて、第２グループ団体のメンバーは、特定の目的地への乗車を提供する事ができURLを持つ事、そして、第１グループ団体のメンバーは、特定の目的地への乗車を希望し、そのオンラインコミュニティーのWEBサイトを介し通信する為、その移動体機器を利用しながら、その目的地が適しているかどうかを決めるため、その第２グループ団体のメンバーに付随するURLを取得し、入力装置に入力する事を特徴とするシステムとビジネスの方法。
【請求項５７】
前記「請求項１」に記載する通信システムにおいて、その移動体機器は、第２グループ団体により希望されたイメージを取得する為に、そのホストサーバーを介し、第２グループ団体のメンバーにより少なくとも一部分はコントロールされたカメラを含む事を特徴とするシステムとビジネスの方法。
【請求項５８】
前記「請求項５７」に記載する通信システムにおいて、第２グループ団体によるそのコントロールは、その取得したイメージの著作権が、第１グループのメンバーではなく第２グループのメンバーに属するに十分である事を特徴とするシステムとビジネスの方法。
【請求項５９】
前記「請求項１」に記載する通信システムにおいて、第２グループ団体のメンバーは、URLを持つ求職者である事、そして、第１グループ団体のメンバーは、そのオンラインコミュニティーのWEBサイトを介し通信する為にその移動体機器を利用し身分をチェックする目的で、第２グループ団体のメンバーのURLを取得し入力装置に入力する、第１グループ団体に加わるよう、第２グループ団体のメンバーによりリクルートされたヘッドハンターである事を特徴とするシステムとビジネスの方法。
【請求項６０】
前記「請求項１」に記載する通信システムにおいて、第２グループ団体のメンバーは、URLを持つ求職者である事、そして、第１グループ団体のメンバーは、そのオンラインコミュニティーのWEBサイトを介し通信する為その移動体機器を利用し、身分をチェックする目的で、第２グループ団体のメンバーに付随するURLを、誰にもわからないように取得する雇用主見込者である事を特徴とするシステムとビジネスの方法。
【請求項６１】
前記「請求項１」に記載する通信システムにおいて、そのオンラインコミュニティーURLに付随する情報は車両登録番号であり、そのWEBサイトは、入力装置にその車両登録番号を入力する事によりアクセスされる事を特徴とするシステムとビジネスの方法。
【請求項６２】
本件通信システムは、更に、そのオンラインコミュニティーURLをもつオンラインコミュニティーWEBサイトをホスティングするホストサーバーと、そのWEBサイトに付随するオンラインコミュニティー（共通点を共有する第１グループ団体、及び異なる共通点を共有する第２グループ団体からなるオンラインコミュニティー）と、第２グループ団体のメンバーにより、第２オンラインコミュニティーのURL（第１のオンラインコミュニティーURLを取り入れた第２のオンラインコミュニティーURLの一部）を持つ第２オンラインコミュニティーをホストする為使用される第２ホストサーバーと、第２オンラインコミュニティーWEBサイトに付随する第２オンラインコミュニティー（共通点を共有する第３グループ団体及び異なる共通点を共有する第４グループ団体とからなる第２オンラインコミュニティー）とを含み、そしてこれらにおいて、第１、第２、第３、第４グループ団体は、第１と第２のオンラインコミュニティーのWEBサイトにアクセスする為、第１及び第２オンラインコミュニティーURLを使用しお互いに交信する事を特徴とするシステムとビジネスの方法。
【請求項６３】
第１団体と第２団体間の相互作用の方法は、第１団体に対し、WEBサーバー用の一つのURLかあるいは口座名からなるWEBアドレスを割り当てる事、その第１団体に対しこのWEBアドレスを付加する事、移動体機器への第２団体による当該WEBアドレスの入力、
第２団体による、その移動体機器上での第１団体に関する情報へのアクセス及び取り出し、そしてその当事者間で当該相互作用を提供するためその当事者と接続する事を含む事を特徴とするシステムとビジネスの方法。
【発明の詳細な説明】
【０００１】
【技術分野】
この発明は、広告、マーケティング、そして一組織へのメンバー取得、及び商品とサービスに関するコンピューターメソッドとシステムに関連するものである。特に、一組織の為及び一組織に会員をリクルートする為、そして彼らの商品とサービスの為の広告にインターネットを利用する方法とシステムに関連するものである。
【０００２】
【背景技術】
インターネットは、通信リンクを介し相互に接続された巨大な数にのぼるコンピューターとコンピューターネットワークにより構成されています。この相互に接続されたコンピューターは、電子メールやWEBのようなサービスをいろいろ使用し情報を交換しています。このWEBを利用すると、WEBサーバーあるいはWEBサイトのようなサーバーコンピューターシステムから、遠隔地にあるクライエントコンピューターシステムに画像情報を含むWEBページを送る事ができます。すると、その遠隔地のクライエントコンピューターシステムは、そのWEBページを表示する事ができます。
WEBページを閲覧する為に、クライエントコンピューターシステムは、ユニフォーム・リソース・ロケーター（以下、URLという）もしくは、URL及び要求する特定のWEBページ用のアカウント名（以下、URL(s)という）を指定します。その要求は、そのWEBページをサポートするWEBサーバーに送られます。WEBサーバーがこの要求を受け取るとそのサーバーは、インターネットもしくはネットワークを介し、そのクライエントシステムに信号を送ります。
これらの信号は、そのクライエントシステムにより受領されると、そのクライエントシステムのソフトウエア及びハードウエアにより解釈され、WEBページを生成し、そのユーザーに対しクライエントシステムにより表示されます。そのクライエントコンピューターシステムが、そのWEBページを受け取ると、通常、ブラウザーを使いそのWEBページを表示します。ブラウザーは、そのクライエントシステム上で、WEBページの要求及び表示に影響を与える特別な目的を持つソフトウエアアプリケーヨンプログラムです。このWEBは、特に、電子的な商業活動に役立ちます。多くのWEBサーバーが開発され、これを介し、送り手は、広告し製品を販売できます。この製品には、インターネット上で、買い主に電子的に送達される音楽や映画などのようなアイテムも含まれるでしよう。
その製品には、買い主に対し通常の流通経路を介し送り届けられる本のような他のアイテムも含まれるでしよう。サーバーコンピューターシステムは、購入可能なアイテムをリストアップした電子カタログも提供するでしよう。そのシステムを利用する見込み客は、ブラウザーを利用しこの電子カタログを閲覧しいろいろ購入目的でイロイロのアイテムを選択できます。この見込み客が購入すべきアイテムを選択した後、サーバーコンピューターシステムは、ユーザーにそのアイテムの注文を完結するためそのサーバーに必要な情報を求めるでしよう。この購入者に固有の注文情報は、購入者名、クレヂットカード番号、そのオーダーの送付先アドレス等を含むでしよう。すると、そのサーバーコンピューターシステムは、通常、そのクライエントコンピューターシステム確認WEBページもしくは電子メールを送付しそのオーダーを検証の上、そのアイテムの発送を手配します。
最近、何らかの形の無線送受信を使いインターネットに接続可能な、PDA、インターネット対応ケータイ電話等（以下、iphone又はiphonesという）のインターネット対応移動体機器が出現しました。このインターネット対応電話あるいはiphone(s) も、このインターネット対応電話上に、インターネットからアクセスし取り込んだWEBサイトのWEBページを表示する事ができるブラウザーのようなソフトウエアを含んでいます。このインターネット対応電話の表示部分は比較的小さく、デスクトップ、あるいはラップトップコンピューターに付加された表示画面ほど、多くの情報を表示できない事から、この電話に送信されるWEBページのコンテンツは、通常、このインターネット対応電話あるいはiphone(s) のディスプレイに適したフォーマットに変換されなければなりません。
インターネット対応電話の出現につれ、全く新しい電子的商業の道が開け手きました。このiphone(s) のインターネットの特徴を十分利用するには、長々としたURL(s) や電子メールアドレスの入力に関連するヒューマンインターフェースを改善しなければなりません。
現在は、公知のインターフェースのうちの最善のものは、声起動による入力方法によるアプローチであるように思えますが、もし秘匿性が要求される場合、一般的にこの方法は、満足できるものではありません。それ故、現在必要とされかつ未だ利用出来ないものは、他人に聞かれる事なく、このURL(s) と電子メールアドレスをiphone(s) に自動的に入力するシステムと方法です。
更に、看板やビルボードのような広告媒体の多くは、最近URL(s) を宣伝し始めていますが、どれもそのURL(s) をiphone(s) に送信する能力はありません。そこで現在必要とされ未だ利用できないものは、その周辺地域のiphone(s) にURL(s) を送信できるシステムと方法、及び、あるいは装置です。
更に、今では、多くのカメラ付きインターネット電話（以下、iphone-cameraという）が市販されていますが、どれもその媒体あるいは看板、ビルボード、バッジ、Ｔシャツ等の物に掲示されたURL(s) を認識できません。そこで現在必要とされ未だ利用できないものは、表示されたURL(s) のパターン（印刷、印刻に拘わらず）を認識し、そのデーターをiphone(s) に蓄え、以後必要な時そのURL(s) にアクセスできるようにするシステムと方法、及び、あるいは装置です。
今までは、URL(s) は、人間もしくは人間により経営される実体にのみ割り当てられ、物や商品（車両のような）に、あるいは動物、魚類、植物等に、割り当てられる事は、ありませんでした。そこで必要とされ未だ利用できないものは、他の種や非生命体等に対するURL(s) の割り当てを、効率的にかつ生産的に利用するシステムと方法です。
更に、以前は、WEBサイトは、ほとんどの場合、遠隔地の当事者により利用されてきましたが、近接する当事者あるいは面前の当事者間では、利用されていません。そこで、必要とされ未だ利用できないものは、WEBサイトを遠隔地形式のみならず近接及び、あるいは面と面と向かい合う当事者間で利用するシステムと方法です。
更に、以前は、チャット、オンライン会議等、いろいろオンライン通信様式がインターネット上で提供されてきましたが、これらは、当事者間のビジネス交渉に関し、法的に有効な証明となるに十分な効力を持つ記録を提供していません。そこで、必要とされ未だ利用できないものは、オンラインでの交渉が、オファーとその受託から取引の完結まで明白に履行され、留守番電話もしくは録音装置のように、すべてのプロセスを記録し、要求に基づきその関係当事者間の交渉経過の書面記録を提供しうるシステムと方法です。
更に、以前は、賞金の支払いを認める販売促進方法がいくつか、遠隔地形式ではインターネット上で用いられてきましたが、近接もしくは面と面に向かっての当事者間において使用される事はありませんでした。そこで必要とされ未だ利用できないものは、近接するあるいは面と面に向かって相互作用する人及び実体間で執り行われる、賞金等を求めてのリアルタイム福引き抽選とその支払いを許すシステムと方法です。
更に、以前は、小規模であっても自分の店を始めるには誰でも、最低でも数千ドルの投資と、家賃や人件費等に少なくとも数百ドルの固定経費を毎月負担し、その事業にフルタイムで専念しなければなりません。それ故、多くの原資を持たないかあるいはその事業に専念する時間のない人は、新しくベンチャー企業を立ち上げる事ができませんでした。そこで、必要とされ未だ利用できないものは、これらの企業家たちに、最低限の初期投資と最低限の月間固定経費で且つフルタイムの奉仕を要求しないで自分の店を試みうるシステムと方法です。
以前には、多くの企業が、使用されていない容量やスペースを生産的に利用する手段をもっていませんでした。例えば、多くの航空会社は、満席でない状態で運航していますし、ホテルも満室でない状態で経営しています。同様に、多くのレストランは、ピーク時以外は、閉店しています。多くのショッピングセンターの駐車場は、終業後は利用されていません。事業用不動産は夜間（又はその反対の場合昼間）は利用されてきませんでした。そこで必要とされ、未だ利用できないものは、これらの使用されていないキャパシティーを
代替え利用し価値ある資産に変換しうるシステムと方法です。
以前は、インターネット上で事業を始める為、インターネットサービスプロバイダー（以下、ISP ）により利用されてきた典型的な方法には、種種の商品やサービスを広告するWEBサイトをホストするホストサーバーを提供する事を含まれていました。そのWEBサイトは、通常、そのWEBサイトにアクセスするユーザーにそのWEBサイト所有者の提供する商品やサービスのオンライン広告やカタログを提供するものです。
以前は、そのWEBサーバーの経営者もしくはそのWEBサイトのISPは、通常、そのWEBサイトの所有者に、そのWEBサイトをホスティングする費用としてかなりの額を請求してきました。この費用は、固定費ベースかあるいはそのWEBサイトで広告された商品やサービスの実売り上げ額に比例する額による金員による支払い等、いろいろの形体で行われているようです。
最近では、多くのサーバー運営者もしくはISPは、WEBサイト所有者のWEBページ上にサーバー運営者により販売される広告を表示する事をそのWEBサイト所有者に要求する事で、WEBサイトのホスティングを無料でオファーし始めています。このような無料ホスティングサービスは、不公正取引慣行としてのレッテルを張られるでしよう。なぜならこの慣行は、他の業界では非難されるような、不公正なコスト割れダンピング慣行にも似て、そのホスティングサービスを維持するコストを無視しているからです。その結果、このような不公正ビジネス慣行は、新規参入経営者がインターネット業界に参入し、他と公正に競争する事を妨げています。
インターネット上で現在行われているビジネス方法のもう一つの難しさは、WEBサーバーが成功するには、そのシステム上にWEBサイトを設置してくれる可能性のあるWEBサイト所有者をリクルートしなければならない事です。昔は、そのようなリクルートは、サーバー経営者のオファーするサービスの説明をする為、そしてそのサーバー上にWEBサイトを設置するよう交渉し言質を得る為、見込み客に電話をかけ訪問する業務を履行する販売員を要する事です。そこで、必要とされ未だ利用できないものは、顧客にWEBサイトを提供する為の、そしてお金がかかり訓練するのが難しい販売員を必要としないWEBホスティングサービスの顧客をリクルートする為のシステムと方法です。
加えるに、インターネットを使用する事で、共通の利益を享受する個人や企業のグループを形成する方法が必要とされています。その共通の利益とは、サービスや商品に関するマーケテイングであり、そのグループに対するディスカウントを含んでいます。
更に、遠隔地形式でビジネスが遂行できうるよう、インターネットの移動適応能力を利用しながら、インターネット上でのビジネスを遂行する必要性があります。例えば、遠隔地のプロによる写真撮影や、個人や企業の使用されていないキャパシティーもしくは資産を利用する道を提供する為インターネットを利用する事です。
本件発明は、これらの必要を満たすものです。
【０００３】
【発明の開示】（SUMMARY）
本件発明のシステムと方法は、誰でも、自分の時間すべてを注ぎ込む事なく他の業務に同時に携わりながら、そのままではゴミとして捨てられその処理過程で、二酸化炭素やダイオキシン等毒性のあるガスや物質を形成する、不要品ではあるが使用可能で他の人にとっては価値のある品物（以下、FleaMaGoodsという）を、再流通させる事により、二酸化炭素を削減する事を通じ自然環境保全に貢献するのみならず、インターネット技術により、特に、最近市販されているPDAやインターネット電話（以下、iphone(s)又はiphoneという）等の移動体機器を含むモバイルインターネット技術のおかげで、いかなるビジネスにも従事する事を可能にしたものです。
この発明では、iphone(s)とインターネットは、「URL(s)」が人や実体に対してのみならず車両等のような商品にも割り当て、その「URL(s)」をその被割当人や被割当品や物に、或いはそれに近接する何かに掲示し、当該「FleaMaGoods」をマーケットする為にや若しくは、面前或いは近接場所での、人、商品、動物等の間におけるその他の交流の為広告するような様式においてもっとも効果的に使用され、以下に述べるように、種種の画期的なビジネス方法や個人的関係を創造するでしょう。
【０００４】
【発明実施の形態】
例図に描かれている実施形態のように、現発明は、サーバー、WEBサイト、及び他のインターネット対応電話もしくはインターネット可能な電話との通信において、インターネット対応電話あるいはインターネット可能な電話を使用し商業を営むシステムと方法に含むものである。そのもっとも広範囲な観点からいえば、この発明は、商人やサービス提供者の広告を表示する事のできる移動体遠隔端末を提供する事により、インターネットを基盤とする商業のフローを助長する為、セルラーや他のモバイル技術を使用しながら、インターネット対応電話もしくはインターネット可能な電話のポータビィティーを利用するものである。
インターネット対応電話もしくはインターネット可能な電話は、同様に、遠隔地やあちこち移動している間に商品やサービスを購入する為に、インターネット対応電話もしくはインターネット可能な電話からアクセスできるWEBサイトを持つ商人や、サービスプロバイダーと交信する能力をも提供するのである。
現発明は、個人もしくは実体からなる第１グループ（以下、MBRsと表示され、同じ価値観と基準やあるいは共通の利益を共有するグループである）と、個人やもしくはビジネスあるいは実体からなる第２グループに焦点を当てリンクする事において、新しいものである。これら２グループ（上記にとらわれず多数のグループを含むと解釈されるもの）は、ホストサーバーを１ユニットとして利用しながら、下記に述べる現発明により可能になったインスタント登録、送稿、交信仕様等いろいろなオンライン仕様の助けを借りて、フラクタル様式でフラクタル組織に回帰的に成長する事ができるのである。この文脈において、当該ホストサーバーは、当該第１グループ及び第２グループからなるオンラインコミュニティーの設立を可能にする当該サーバーのハードウエアとソフトウエアを提供する実体であるかもしれないと考えられます。当該第２グループの各メンバーも一つのホストサーバーとして行動し、MBRsと第２グループの個人、お店あるいは企業をホストするかもしれないオンラインコミュニティーからなる次のレベルを設立してもよいと考えられます。この関係は、「図６」に描く通り、オンラインコミュニティーの追加レイヤーを介し、ここに述べるフラクタル組織を形成し続けるでしよう。「図１」は、現発明のコンピューターをベースとしたシステムの１実施形態の概観図である。このシステムでは、ユーザーは、インターネット対応電話もしくは「iphone１０５」、「iphoneカメラ１０６」を利用し、高周波もしくはセルラーベースのアナログもしくはデジタル技術のような他の技術を利用し交信するのである。当該「iphone(s)」は、声あるいはデーター情報を、セルサイトのような中心に位置するサイトとの間で送受信するのである。このように、当該「iphone(s)」は、適当なテレコムサービスさえあれば、１地域に限らず使用できるのである。
この「iphone」は、通常、「キーやボタン１１０」を含んでいる。この「キーやボタン１１０」は、当該「iphone１０５」のハードウエアとソフトウエアに、提供される信号を押し与えながら起動し、当該「iphone１０５」の内部のソフトウエアとハードウエアに、セルラーや他の技術を使用するシステムに、当該「iphone１０５」により送信する信号を生成するよう指示します。これらの信号は、電話番号を生成したり、テレコミュニケーションサービスやネットワークによりアクセスできるコンピューターサーバーからの情報を要求する為に使用されたりする等、公知の多様な方法で使用されます。「iphone１０５」のソフトウエア、及びハードウエアは、物理的に「キーやボタン１１０」による起動しなくても、声認識を使用し、電話番号や要求を入力できるよう構成する事ができます。
この「iphone１０５」は、当該「iphone１０５」のユーザーにたいし、情報を表示する為使用される「デイスプレイ１１５」を含みます。この「デイスプレイ１１５」は。例えば「iphone」ユーザーが「キーやボタン１１０」を使用し番号をキー入力するにあわせ、電話番号の数字を１桁ずつ表示します。「デイスプレイ１１５」は、「iphone１０５」を呼び出す人の電話番号も表示します。更に、この「iphone」のソフトウエア及びハードウエアは、ユーザーの知人の名前や電話番号を蓄え「デイスプレイ１１５」上に電話をかけてきた人の名前を表示する事もできるでしよう。
テレコムサービスによりインターネットへ接続された時、「セルサイト１２０」は、「通信媒体１３０」を介し「サーバー１２５」に接続できるでしよう。このようにして、その「セルサイト１２０」は、「インターネット１３０」へのアクセスを提供し、インターネットは、WEBサイトをホスティングしている「他のサーバー１３５」や「他のiphoneユーザー１４０」により開設されたWEBサイトへのアクセスを提供するでしよう。
「サーバー１２５」や「サーバー１３５」は、「iphone(s)」に、その通信システムを介し、「サーバー１２５、１３５」上でホストされているWEBサイトにアクセスできるよう「サーバー１２５，１３５」上で走るアプリケーションソフトウエアを含んでいるかもしれません。当該システムは、「iphones１０５」の２名以上のユーザー間で文字による通信ができるようなソフトウエアも含んでいるかもしれません。このようにして、当該システムは、「iphoneユーザー」が伝統的な音声電話による声モード以外の通信手段を用いてお互いに交信できる方法を提供しています。この仕様は、「iphone１０５」のユーザーに、文字メッセージやグラフィックスやWEBサイト情報を受信できるようにし、移動中でも「iphone１０５」の「デイスプレイ１１５」上に表示できるようにします。
この能力により、「iphone１０５」ユーザーは、例えば、町中をドライブしながらでも、商品やサービスをオファーしている会社の「URL(s)」を含む商品やサービスの広告を見て、即座にそのURL(s)を、「キーやボタン１１０」を使用し「iphone１０５」に入力するかあるいは「iphone１０５」の声認識ソフトを利用しその「URL(s)」により識別されるWEBサイトにアクセスする事ができるでしよう。一度そのWEBサイトがアクセスされると、そのiphoneユーザーは、価格、在庫状況等商品やサービスに関する追加情報を受信でき、その商品やサービスの購入に関し交渉する事ができるでしよう。
例えば、当該「iphone１０５」は、そのWEBサイトに、iphoneユーザーを識別するデジタル証明や、購入した商品やサービスの代金、及び、運送費、ハンドリングチャージ等の付帯費用を引き落とす事を可能にするiphoneユーザーの銀行口座情報を提供するようプログラムする事もできるでしよう。その表示画面は、同様に、そのユーザーが取引完了確認を即座に受信できるようにするでしよう。
当該「iphone１０５」は、インターネットベースの企業と直接即通信を可能にする事から、伝統的なビジネスアプローチでできない事はないが、iphonesを利用する場合ほど簡単で格安には遂行できない多くの新しいかつてないビジネス方法を可能にするでしよう。
現発明の１局面ではあるが、iphoneユーザーの車両をベースにした移動フリーマーケットとも性格づけられるものを、「iphone１０５」を利用して促進する方法を以下に述べます。
この方法では、種種の販売品目を持ち車で行商する個人が、フリーマーケットやもしくはいろいろの商品やサービスを提供する商売を経営する事ができます。
このようにして提供される商品とサービスは、家庭用品などにの小物品に限定されますが、いかなる商品サービスでも可能です。この方法では、売り主は、サーバー上に商品やサービスのカタログや価格、運送費等種種の情報を含むWEBサイトを開設します。売り主は、自分自身もしくは車両に何らかの方法でWEBサイトの場所を識別できるURL(s)を掲示します。例えば、URL(s)は、ライセンスプレートのフレーム等ユーザーの車両に取り付けられたポスターやステッカー等かもしれませんし、売り主や売り主の代理人や従業員により着用されるシャツや衣服に印刷されるかもしれません。この場合、売り主や売り主の自動車に出くわした人は、売り主のWEBサイトのURL(s) を見る事になるでしょう。もし、購入見込み客が「iphone１０５」を持っていれば、その購入者は、「iphone１０５」のキーとボタンを使用しその広告のURL(s)を「iphone１０５」に入力するしユーザーのWEBサイトにアクセスするでしよう。この方法で、その購入者は、そのユーザーに提供される商品やサービスをブラウズするでしよう。
しかし上記の方法の欠点は、URL(s)が扱いにくく、移動中であれば特に入力しにくい事です。この欠点は、当該URL(s)の送受信と認識を可能にする現発明の画期的な特徴を利用する事によりカバーされるでしよう。この実施形態では、自分自身のURL(s)を放送し、購入の為の商品やサービスを提供する人々に付随する送信機により放送されるURL(s)を受信するよう構成できるでしよう。
このiphone(s)は、URL(s)のイメージパターンを捕捉し、そのパーターンを認識するよう設計されたソフトウエアにより、そのイメージから得たURL(s)を、「iphone camera１０６」に入力し、アクセスできるようカメラを設備する事もできます。その放送は、許される範囲のいかなる放送形態も可能で、「iphone  camera１０６」が受信できるよう構成されたいかなる形の電磁波、音波をも使用する事ができます。
この送信機は、使用される技術形体により大きい場合も小さい場合もあり、例えば、売り主のURL(s)や商品・サービスを広告しつつ、「図１」の「transmitter２１０」のように売り主の車両に、あるいは「transmitter３１０」のように立て看板に、あるいは、「transmitter４１０」のように商品に、あるいは「transmitter５１０」のように動物にマウントする事もあるでしよう。一方では、この送信機は、その送信機の周辺のiphone(s)が、その放送されるURL(s)を受信できるように、例えば、売り主や、売り主の代理人や従業員に着用される「transmitter６１０」のようなバッジ等に、あるいは、売り主の持ち物などに取り付けられる事もあるかもしれません。
このiphone(s)は、 iphoneからのあらかじめ定めた距離以内で放送されたURL(s)をすべて受信し表示するよう構成する事も可能です。このように、iphoneユーザーがあちこち移動する時でも、そのiphone(s)は、そのユーザーの場所から比較的接近し放送されたURL(s)をピックアップするでしよう。
このiphone(s)のソフトウエアは、そのユーザーに、受信したURL(s)をスキャンせしめ、受信したURL(s)のうちから、iphoneのメモリーに記憶するURL(s)を１個もしくはそれ以上選択できるようにするでしよう。
更に、売り主のiphone(s)は、その売り主のWEBサイトのURL(s)を継続的に放送する設備を持つこともできます。このiphoneカメラは、衣服、車両、立て看板その他に表示されたURL(s)のイメージを捕捉し、そのiphone(s)の中の特殊なソフトウエアを使用しそのiphone(s)にURL(s)を入力するよう構成する事ができ、その結果そのURL(s)により識別されたWEBページにアクセスできる事となります。このような放送、受信及び認識能力や簡便なアクセス方法は、購入見込み客によるこの長ったらしく複雑なURL(s)のキー入力の必要性を省き、購入者の車両運転中のURL(s)キー入力から起こる安全に関する懸念もさける事ができます。
一度購入見込み者がWEBサイトを提示されると、その購入者は、その広告された商品・サービスを購入する気になるかもしれませんが、そのWEBサイトでオファーされている条件より良い条件を望むかもしれません。従って、そのWEBサイトでは、交渉ができる機能を提供する要があります。その交渉機能は、例えば、文字メッセージ、声メッセージ、もしくはビデオメッセージを専用部分に入力せしめ、その後その売り主のiphone(s)を介しその売り主にこれをサポートするソフトウエアにより通知されなければなりません。もし売り主のiphone(s)にカメラが備わっていれば、その購入者は、その商品・サービスの実際の映像イメージを要求できるでしよう。このようにすれば、その売り主は、自分自身は識別されますがその買い主に身分証明を要求することなく、従って購入者の匿名性を担保しながら、リアルタイムでの交渉リンクが購入者と売り主の間で成立するでしよう。イロイロな交渉が売り主と買い主間でとり行われ、その取引は、上記の通り、当該iphone(s)のシステムを利用しそのオブザーバーと売り主間で、完結するでしよう。
現発明で可能な実施形体の一つに、売り主が自分の車両の中に商品在庫を保管しても良いという事があります。このような在庫により、その売り主の商品購入見込み者がその売り主に会って取引を完了する事ができます。例えば、ドライブ経路上でお互いに合意できる停止場所であえるようアレンジできますし、その売り主と買い主のiphone(s)を介し、文字メッセージを通じての交渉や、売り主が自分のiphone(s)の電話番号を含む文字メッセージをその購入見込み者に送り、その買い主にその売り主まで電話をかけて貰い通常の声による交信で、互いに合意できる出会い場所をアレンジする事もできます。一方では、その当事者は、上記で定義した第２グループのメンバー（自分の店の一部をこの種の出会い場所にあるいはその売り主の在庫貯蔵所やもしくは流通ベースとして用立てているメンバー）の店舗内にあるその売り主の店であうこともできます。その店舗は、下記に述べる「超資本主義」に関連する方法で利用できるよう用立てられる事もあるでしょう。このアプローチは、その買い主とその売り主間の値段、量などの交渉もしやすくするでしよう。
例えば、購入見込み者が、現発明のシステムを使用する為、その売り主のWEBサイトにログオンした時、その購入見込み者は、「図２」に描かれたようなWEBページを表示されるでしよう。一局面では、そのWEBページへのアクセスを提供しやすくする方法には、その売り主の車両登録番号をw_w.FLMACAR.COMやw_w.MblFleaMa.Comサーバー等の為の口座番号として受け入れるようにしたり、URLとしてその売り主の車両登録番号.COMを登録したりできるよう、ホストサーバーのソフトウエアを調整もしくは変更する事です。どちらのアプローチも、売り主にとっても購入見込み者にとっても有益であるという事です、なぜなら、その購入見込み者が、その売り主の車両登録番号を入力するのみでその売り主のWEBサイトにアクセスできるからです。
iphone(s)の表示部分に表示されるこのWEBの入り口ページは、その購入見込み者に広告されたURL(s)や、この発明のもう一つの局面である場合、その売り主の車両登録番号を入力できるようにします。この方法によれば、その購入見込み者は、この現発明の種種の仕様を起動する為に、「図２」に描かれている入力テンプレートにより提供されるスペースにその売り主の車両登録番号（売り主の車に後続する購入見込み者から見やすい）を入力するだけです。一方、その登録番号は、その売り主により、上記の自動URL入力仕様に従い放送され、その購入者のiphone(s)に自動的に入力できるでしよう。
その購入見込み者が、そのデーターを入力しそのiphone(s)上の適当なボタンを押す事によりそのシステムに車両登録番号もしくはURL(s)を送稿すると、そのシステムのソフトウエアとハードウエアが連携しその購入見込み者が要求した情報に纏わるパケットサイズを計算します。もしこのパケットサイズが、その買い主のiphone(s)のメモリーの限界を超える場合、その買い主に警告が出され、その購入見込み者の電話にダウンロード可能な情報量に絞り込むよう検索基準を再入力するよう暗示するプロムトがその買い主に出されます。
このシステムのこの仕様は、その購入見込み者の電話がそのシステムにより提供される情報全部を処理できないようなケースをさける事ができ、その結果、その購入見込み者のテレコム会社の接続時間もしくはデーター量にかかる不必要な費用をさける事ができるでしょう。もし、ダウンロードする情報パケットサイズがその購入見込み者のiphone(s)のメモリーの限界を超えている場合、そのシステムはその情報をダウンロードします。このダウンロードは、閲覧者の意思で、そのWEBサイトに含まれるすべての情報を含めるか、そのiphone(s)にあらかじめ割り当てられたメモリー部分を超過しないよう、その都度２，３ページずつ含めるか選択できます。多くの場合、この情報は購入可能な商品・サービスのリストから成ります。このダウンロードの終わりには、そのiphone(s)の表示画面は、ダウンロードされたサイズやその購入者に請求されるダウンロード費用を表示します。
もし、購入見込み者がその売り主と交渉したいと思うような興味深い品目を見つけた場合、
その閲覧者は、「RING FOR NEGOTIATION」もしくは「RING FOR NEGO」等のシンボルをクリックします。するとこれは、iphone(s)のソフトウエアとそのシステムにより解釈され売り手のiphone(s)に、購入見込み者がある特定の品目に関し交渉を望んでいる旨表示する電子メールを送信し、その売り主のiphne(s)のベルをならすか、購入見込み者が交渉を望んでいる事を通知します。一方、このiphone(s)は、その購入者によりこのiphone(s)の電子メール仕様を使用しなくても接続する事もできます。例えば、現発明のソフトウエア及びハードウエアは、そのiphone(s)がビープするようiphone(s)に信号を送る事ができますし、あるいは、そのiphone(s)にそのユーザーとの通信が希望されている旨通知する事ができます。この仕様は、上記の放送仕様の一部に含める事もできます。
「図３」に描かれているように、購入見込み客がある品物に関し交渉を望む旨、売り主に一度掲示されると、その購入見込み者は、iphone(s)の画面に「図３」のような表示が提供されます。この表示にあるように、購入見込み者は、その商品・サービスに対し希望する支払い価格等の情報を、購入する品物の量、色やタイプ等の情報と共に、入力できます。「COMMIT BUTTON」がその購入見込み者により起動されると、その購入見込み者は、売り主のiphone(s)にメッセージを送信します。その売り主のiphone(s)がこのメッセージを受信すると、そのメッセージは、そのiphone(s)をしてその売り主に警告を発します。もし、そのiphone(s)がその売り主に警告を出すと、その売り主は、適正なキーやボタンを起動し、そのメッセージをそのiphone(s)に表示させます。一方、そのメッセージは、その売り主のphone(s)に自動的に表示させる事もできます。もし、その売り主がその購入者からオファーされた価格に同意するならば、その売り主は、iphone(s)を使用し、その買い主の価格を受託する旨告知するか、カウンターオファーを含むメッセージを送信します。最終的には、その売り主及び買い主は、交渉中の品物の価格あるいはその他の仕様に関し、合意点に達し、その購入は完結すると思われます。
現発明のもう一つの方法の特徴は、その売り主が、購入見込み者に対し、（営業が遂行される地域の合法性により、オンラインビンゴやキーノゲームもしくは他の販売促進福引き抽選システム等をインセンティブとしてオファーしても良い事である。現発明は、その買い主に対しこの福引き抽選に勝つチャンスをオファーしても良かったかどうかを確認する方法も含むものである。例えば、その売り主が、その買い主に、一販売毎に福引きビンゴを１回オファーするなら、広告主がその閲覧者にその広告の１閲覧毎に同じ福引きビンゴをオファーするならば、その売り主がその買い主に実際に商品・サービスを販売した事やあるいはその閲覧者が実際その広告を見たかどうかを確認するすべがなければなりません。
この販売もしくは広告閲覧がなければ、このビンゴ福引き抽選は、法の下で非合法なギャンブルとなり、意図された販売促進福引き抽選や促進福引き抽選システムとは見られないでしよう。
現発明は、商品・サービスの１販売において、各販売もしくは購入が完結するまでの課程で、執り行われたオンライン交渉すべてを記録しログにとり、実際に販売が完結した証拠を作成するため、加うるに、その地域の該当する法律により、その販売促進福引き抽選のはじめと終わりに当事者の立ち会いを要する為、記録しあるいはログにとるよう考慮されています。この発明は、広告の１閲覧毎この発明のシステムは、例えばその閲覧者に、その問題の広告の中にちりばめられたキーワードや、なかなか見つけにくいパスワードや番号を見つけだせば答えられるような質問に答えるよう要求するよう構成する事ができます。
このような質問は、その閲覧者がその広告の内容を実際全部読まなければ答えられないようなものにする事もできます。これらの選別方式はイロイロの組み合わせで仕様する事もできます。
その購入者がこの販売促進に参加する資格を確認されると、その購入者は、お気に入りの番号や文字の組み合わせを入力し、そのWEBサイトでその組み合わせ番号を登録し、その売り主にこれを確認し、福引き抽選を始めるよう要求する事となります。その購入者は、そのシステムによる福引き抽選の結果を待ちます。その買い主がその福引き抽選に勝てば、その売り主は、その売り主が買い主に約束した賞を付与する義務をおいます。
現発明の更なる面では、共通の特徴を持つ個人で構成されるオンラインコミュニティーをフラクタル様に設立する為、ihone(s)とインターネットとの接続機能を使用する事ができる事です。現発明のこのシステムは、そのオンラインコミュニティーのメンバーにもしくは「MBRs」に、商品・サービスを割引価格で提供する気のある売り主により、そのオンラインコミュニティーに商品・サービスを提供できるようにします。
この発明のこの実施形態における画期的な部分は、そのオンラインコミュニティーの有益性を広告し、新メンバーや商品・サービスのプロバイダーをインターネットコミュニティーに登録する方法である。その結果としてのフラクタル組織は、現発明の重要な部分である。
例えば、ガソリンスタンドは、第１のグループ（もしくは「MBRs」）に対し割り引き価格などの利益を提供する第二のグループ（「FC GROUP」）として、FLMACAR.COMと呼ばれるオンラインコミュニティーに係わるには、完璧なビジネスグループであろう。
このコミュニティーは、「FLMACAR.COM」の経営者もしくはその「HOST SERVER」、第１のグループもしくはその「MBRs」、及び第２のグループもしくはその「FC GROUP」から構成されるユニットと考えられます。このユニット又はコミュニティーでは、そのコミュニティーすべての構成員が利益を享受できます。その「MBRs」は、無料WEBサイトホスティングや電子メールサービスやその「MBRs」が第２グループもしくは「FC GROUP」に新しいメンバーを勧誘するとその「HOST SERVER」により提供されるコミッション等の利益を享受できます。第２グループもしくは「FC GROUP」もまた、その「HOST SERVER」により、例えば毎月５ドル等の様にわずかな費用で提供されるWEBや電子メールサービスや、「MBRs」顧客によりもたらされる売り上げ増加による利益を享受できます。
その「HOST SERVER」により、新規「FC GROUP」メンバーをリクルートしている「MBRs」に対しオファーされるかなりの額に上るコミッションにより動機ずけられ、その「MBRs」は、例えば、「MBRs」に対するディスカウントの様な利益をもたらすガソリンスタンド等いろいろの実体に、この「FLMACAR.COM」コミュニティーに参加するよう促進しています。これらのガソリンスタンドが、この参加を拒絶する理由はないはずです。何故なら、増加した「MBRs」顧客が、その「FC GROUP」のガソリン売り上げに貢献するからです。その結果、このコミュニティーは、コストのかかる外部セールス要員を雇用する必要なく、組織的に成長するでしよう。
加うるに、現発明のフラクタル部分により、「FC GROUP」メンバーの一名、例えば、「76LAX gas station」は、「第２レベルのHOST SERVER」になり、独立、あるいは非独立的に、W_W.76LAX.FLMACAR.COMコミュニティーを運営し得るでしょう。この「第２レベルのHOST SERVER（76LAX Gas Station）」もまた、僅かな費用で、WEBや電子メールサービスを、その「76LAX gas station」の全得意先（以下、「SECOND LEVEL MBRs」という）が、ガソリンを車に満タンにする時ごと、提供するでしよう。この「第２レベルのHOST SERVER」は、同様に、 この「第２レベルのHOST SERVER」の本業に競合しない個人やもしくは企業のグループ、例えばドライブインレストラン（例「DALES」）等に対し、「第２レベルのMBRs」に対しディスカウントなどを供与する「第２レベルのFC GROUP」として、 WEBや電子メールサービスを、僅かな費用で、提供するでしよう。
次は、この「第２レベルのFC GROUP」が、「第１レベルのMBRs」に加え、増加した「第２レベルMBR」顧客による利益を享受できる事になるでしよう。
このように、「第２レベルのFC GROUP」を、「HOST SERVER」の立場におき、「第２レベルのFC GROUP」が「第３レベルのHOST SERVER」の一つとなり、W_W.DALES.76LAX.FLMACAR.COMコミュニティーを組織しこれをどんどん続けられるよう、現発明のフラクタル手法を繰り返す事は、完全に可能なのです。
もう一つの例として、現発明は、エアラインのクルーメンバーに利用されるサイトを提供します。このWEBサイトは、クルーメンバーのWEBサイトをホスティングし、そのWEBサイトのメンバーであるクルーメンバーが、そのWEBサイトのアドレスを取り入れた電子メールアドレスを持つ事を可能とするその「HOST SERVER」の為にあるでしよう。
そのサイトのURLをそのサイトのメンバーに簡単に覚えてもらえるように、そのサイトは、
w_w.CrewMbrs.Comのような名前を持つでしよう。この概念は、共通の性格を持つ他の個人グループにも適用でき、例えば大学生が一般的なUniversity Student Associationの略である「USA」というURL(s)を持つこと等に当てはまります。
過去においては、広告主や現システムのサーバーによるWEBサイトのホスティングを望む人をリクルートする場合の難点の一つに、通常、そのサービスプロバイダーは、販売員を雇いお店やメンバーを個別訪問させリクルートしなければならなかった事があげられます。しかし、現発明は、明確に、この欠点を指摘し、このシステムに新メンバーやお店やサービスプロバイダーなどをリクルートするのに外部営業員を要しないとしている事です。むしろ、現発明は、上記で簡単に説明したように、当該システムのメンバーをセールスエージェントとして利用し、これらのメンバーに奨励金を出し、新メンバーや、このシステムに商品・サービスの提供者をリクルートせしめているのです。
リクルートのプロセスがどう作用するかの関連手順及びその利点に関し、w_w.JL_Crew.MbrOnly.Com(JL Crew MemberのWEBサイト)を例に、 再度、詳細下記に描きます。まず第１に、JL_Crew.MbrOnly.Com(もしくは、the HOST SERVER)と呼ばれるコミュニティーのメンバーになる事を望むエアラインのクルーメンバーは、無料か僅かな費用でその新メンバー（the FIRST GROUP、又は「MBRs」）のホームページををあけたり、newname@jl_cre.mbronly.comのような電子メールアドレスを提供されるでしよう。
その新メンバー（もしくは、「the MBRs」）は、同じ権限を享受できる新メンバーをそのWEBサイトにリクルートできる権利も付与されるでしよう。このリクルート業務は、新メンバーがそのメンバーのWEBサイトにログオンした時、そのiphone(s)にダウンロードできるソフトウエアを新メンバーに提供し履行しやすくしています。このソフトウエアは、いくつかの目的に使用されます。１点では、このソフトウエアは、このシステムを利用しながら、商品・サービスの提供者からのディスカウントを含む、新メンバー見込み者のサンプル広告を表示する機能を含んでいます。新メンバーをリクルートする時、そのソフトウエアは、新メンバーをリクルートしようとしているメンバーに対し、インスタント登録仕様を使用し、新メンバーを登録する機能を提供するのに使用されます。このソフトウエアは、新メンバーが２，３分以内にホームページの内容を作成し送稿する事を可能にします。このホームページ作成を完遂するため、そのソフトウエアの送稿機能は、簡便化されたテンプレートを使用する事を含んでいます。この為、パソコンやiphone(s)を以前使用した事のない人でも、口座登録をし、短時間でホームページを送稿できるのです。新メンバーがインスタント登録や新WEBページの送稿ができるよう掲示される表示画面のサンプルは、「図４」及び「図５」に示します。
インターネット上でのビジネスに関する現発明の手法には、新広告主や商品・サービスの提供者（「第２グループ」もしくは「FC GROUP」）を、このシステムにリクルートするメンバーへコミッション支払いをオファーする仕様も含まれます。ユーザーのiphoneにダウンロードされるこのシステム上で使用できるソフトウエアは、そのメンバーが営業所に入り、広告見込み主や商品・サービスの提供者に対し、広告の可能性についてインスタントプリゼンテーションをする事を可能にします。更に、この広告は、共通の性格を持つ特定の個人グループに焦点を当てている事から、広告主が、特定の商品・サービスだけをターゲットに広告する事や、更に、そのグループに付帯しない人には与えられる事のない特定のグループに属する人々にのみ割引をオファーする事さえ可能です
例えば、多くのホテル、レンタカー会社やレストラン（「the FC GROUP」）は、エアラインの社員に大きなディスカウントをオファーします。現発明に包括されたソフトウエアを使うと、「jl_crew.mbronly.com(the MBRs)」のような、ある特定のエアライングループのメンバーにのみ、特定の広告主や商品・サービスの提供者からの割り引き価格をオファーする事ができます。現発明の利点の一つに、現発明のソフトウエアが、メンバーに、ipone(s)を使用し、商品・サービスの提供者の広告すべてにアクセスできるようにし、ディスカウント率も閲覧できる機能を提供する事です。しかしながら、他の広告主や商品・サービスの提供者は、すべての情報を閲覧するに要する適正なログオン名やコードを付与されていない為に競合する商品・サービス提供者のオファーするディスカウント率は見ることができないよう制限されています。 このように、特定のログオン名とパスワードを使用しログオンするメンバーは、すべての広告主及び商品・サービスの提供者の中から選びその商品・サービスの割引率を見比べて購入する事ができますが、そのような割引率は、他の競合する広告主からは見えないよう設定されています。
同様に、このシステムは、ある特定のグループのメンバーのみがその特定グループをターゲットとする特定の広告のみを閲覧できるようセキュリティーソフトを提供するでしよう。このように、種種のグループは、異なる値引率を提示される事となるかもしれません。このシステムの利点は、広告主が、その広告主の利益になる性格を帯びた個人の特定グループをターゲットにする事ができる点です。
上記で説明した現発明のこのシステムの更なる利点は、このシステムがメンバーにこのプログラムに参加したいと願うお店の広告を、ほんの少しの努力と僅かな時間で、マーケティングや広告キャンペーンのマーチャンダイジングにかかる人件費等巨大な出費をさけ、リクルートし送稿する事ができるという点です。
更に、現発明のインスタント送稿の仕様により、その広告主は、いつでも、iphone(s)のサービスが提供されている限り世界中のどこからでも僅かな時間でその広告を送稿し削除し変更する事ができます。このように、この広告は、広告主の望み通りに変更あるいは削除できます。このシステムに新広告主や激安店オーナーを登録したり、原稿の送稿に使用される典型的な入力画面をここに添付した図面で提示します。
以前説明したように、このメンバー店も、このシステムのユーザーが、オンラインキーノやビンゴや他のゲームシステムを使用し賞を得る機能をオファーするでしよう。更に、レストランの場合、このシステムのユーザーは、iphone(s)を使用しながら食事の予約をする事が可能でしよう。
現発明のもう一つの実施形態において、この発明は、今日まで第２次元的にしか評価されていない資源を第３次元的評価するシステムを提供します。この概念の元では、資源（人的資源を含む）を評価するのに、第３次元的要素である時間が、公知の第２次元的評価慣行に加え、考慮されています。
例えば、午前１０時から午後１０時までの１日１２時間使用されるショッピングセンターの１エーカーの駐車場用地は、時間要素を考慮せず２次元的に評価すると２百万ドルであったとすると、これを３次元的に評価すると２百万ドルの価値となります。何故なら、午後１０時から翌朝午前１０時までの１２時間の生産的利用が現在の１２時間の利用の倍のリターンを生み出すからです。この評価方法と付随するこの駐車場用地の時間割所有権が法的に認められ、自由世界の資本主義により受け入れられば、午後１０時から翌朝午前１０時までの駐車場用地の所有権は、ここに考えられているような、フラクタル組織のホストサーバーのような、他のクリエイティブな実体により取り引きされ生産性のある利用をされ、その結果その駐車場用地に１百万ドルの価値増加を間違いなく与えるでしよう。
この概念は、もし世界中の政府により受け入れられ使用されれば、地球上の資源が更に有効に利用され、結果としてより多くの人類を長らえさせる事に貢献するでしよう。
この新概念（以下、超資本主義という）を世界中に拡散するにおいて、第２次元下においてもよく似た方法で種種の企業により利用する事が可能です。現発明のこの実施形態の他の部分では、公知の２次元的評価システムでは生産性のある使用がなされていると考えられていても、新３次元的概念もしくは評価方法又は超資本主義下では、生産性のある方法で使用されていると考えられないその資源は、この現発明のシステムを提供する実体により、その提供実体の株券と交換できる財産に変換する事ができるでしよう。
例えば、航空会社のある一定の率の客席は、過剰量でありその実体の株券と交換できると考えられます。するとその実体は、この席を販売する責任が生じます。もし、その実体が成功すれば、その実体の価値は上昇し、その航空会社の受け取った株券の価値も上昇する事となります。同様に、航空会社のフライトの客席はすべて、同じ航空界社の社員によりサービスされますので、航空会社の社員によりこの余剰客席のサービスに費やされた時間は、その航空会社社員に対しその実体の株券を提供する事で報われるでしよう。
この実施形態は、 w_w.CrewMbrs.Comコミュニティーのホストサーバーが、例えば、最終的には、世界の航空会社の余剰客席すべてを取得しその席をCrewMbrs.Comコミュニティーのメンバー及びフラクタル組織内の実体有志のメンバーに、ノーマル運賃の１０％という廉価なフェアベースで（例えば、制限条件付きで）提供するw_w.UnitedAirlineSystems.CrewMbrs.Comと呼称される「FC GROUP」を設立する事を許すでしょう。このような条件には、例えば、出発１０分前時点でのスタンバイベースあるいは空席ベースや、チェックイン荷物がない事、及び適正な服装着用条件などが含まれるかもしれません。これにより、ファーストクラスセクションのどんな席でも、当該URL(s)を持つ参加航空会社により、この「MBRs」の使用に供せられるでしよう。すべてのフライトのすべての空席状況は、インスタント送稿、投稿、及交信仕様により、処理され、リアルタイムで、いつでもどこでも「MBRs」のiphone(s)に提供され、このような厳密な制限をも可能にします。この方法によれば、既に実施されている参加航空会社のSOP（標準オペレーションマニュアル）も変更しなくても良いでしよう。そしてこれにより、参加航空会社は、出発時間ぎりぎり迄、w_w.UnitedAirlinesSystems.CrewMbrs.Comに属する席も含め、すべての席を一般に販売する事ができるでしよう。
このシステムのもう一つの例は、空港のカフェテリアやレストランの余剰席を利用するものです。オフピーク時間には、一般的にレストラン全体をオープンしておくに足る顧客がいない事から、レストランの一部が閉鎖され、従業員も顧客のテーブルに適正にサービスできる範囲で削減されます。現発明のビジネス手法を使用すれば、この余剰客席は、このシステムを提供する実体によりその実体の株券やもしくはそのレストランの所有者の了解できる他の報償と取り引きされ、例えば、w_w.CrewMbrs.ComのHOST SERVERのMBRs専用とできます。このようにして、レストランやお店の一部は、MBRsにより、２PMから５PMの間は、生産的に使用されます。この時間中、そのレストランは、多分、乗務員専用として識別できるよう、サインをぶら下げたりロープで区切り、その専用部分を分割できるでしょう。
加うるに、特別メニューがその予約されたセクション内では提供され、w_w.CrewMbrs.ComのMBRsのiphone(s)に表示されるでしょう。その結果、そのメンバーは、何が提供されているかわかるのです。更に、そのレストランの専用部分で提供されているメニューをiphone(s)を使用して閲覧するだけではなく、オンラインで食事の注文を出すこともでき、到着するまでにレストランに準備の時間を与える事ができます。このように、w_w.CrewMbrs.Comのメンバーは、iphone(s)を利用し、レストランへ行く途中でも、席を予約し、食事をすべて予約する事ができますので、エアポートレストランに到着した時には、食事ができあがっているでしょう。このようにする事で、フライトとフライトの間の緊密スケジュールをもつエアラインクルーにとって特に有益な不必要な遅れを省く事ができます。
公知の事実を熟知されている方には明白だと思いますが、同様な商品・サービスは、例えば、航空旅客がメンバーとなっているような他のクラブのメンバーにもオファーできるでしよう。また、上記のようなビジネス方法は、レストランに限らず、多くの商品・サービスの提供者にも適用できるでしよう。
例えば、商品の買い主と売り主に対し、オンライン交渉のプロセスを提供する前記の方法に関していえば、商品在庫を保管するのに、車の中の限定されたスペースしか持たない売り主は、余剰スペースを持つお店や施設と契約できるでしょう。このように、余剰スペースを利用したい人に、このようなサービスへの道を提供したいと望むお店や施設は、iphone(s)からアクセスできるメンバーのWEBページに、そのような余剰スペースがあることを宣伝する事も可能です。
このような「FleaMaClubs」は、余剰スペースに設置された数千の種種のサイズの箱やワードローブをそれぞれ一つずつあるいはそのワードローブのハンガーを一つずつでも賃貸するオファーをするかもしれません。これらのオペレーションについては、以下に詳述します。
商品、動物、魚類、植物等を含む商品及びサービスに関するオペレーション（フリーマーケットを含む）は、メンバー間で、空店舗やもしくはお店、レストラン、ガソリンスタンド、ホテル、ホームセンター、駐車場、空き地、そして、海岸や湖等の水上等にボーダーのあるエリア等の余剰スペースを持つ施設など、使用されていないスペースを利用する事でも遂行できます。
前記「FleaMaClubs」は、その店舗敷地内や空きスペースのコーナーや、その一部又は全部を区切り、ボックス、棚、ショーケース、ワードローブ、キャビネットやもしくは、駐車場、湖上や水上の活用されていない場所、地下や空中、たとえそれが現実であろうが仮想であろうが、宇宙でさえも含む、陸上や水上のスペースを色々のサイズにマークしそのスペースを、前記のフリーマーケット等のオペレーション用に割り当て、これを、１スクエアフィートもしくは１キュービックフィート数セントからの適正な価格でリース、賃貸、あるいは委託販売ベースもしくは定額あるいは合意額で、あるいは上記で述べた本件発明の超資本主義を適用し使用せしめる事ができます。そして、自分自身のお店を開店しビジネスを開業したり、営業中のお店や事業を拡張したいと願う、主婦、学生、フルタイム、パートタイム労働者を含む個人や実体に、商品・サービスをいつももしくは活用していない時間帯に販売し、流通させ、提供できるよう、その割り当てられたスペースを利用して貰う事が可能です。
「FleaMaClubs」のメンバーは、自分に割り当てられたスペースに、販売、賃貸、もしくは他のビジネス目的であるいは無償提供やチャリティー等を含む非営利目的で自分の商品を持参し陳列し、販売、リース、もしくは賃貸等あらゆるサービス形体を目的に、何でもオファーし、割り当てられたスペースに看板を掲示し、ポップカードや値札をつるし、そしてもっとも大切なのは、意図したビジネスやサービスを遂行できるよう、WEBサイトのURL(s)を、利用する事ができる点です。このメンバーや「FleaMaClubs」のWEBサイト上では、陳列された商品の一部もしくは全部のリストや、サービスの為表示された模範リストが、「FleaMaClub」により、そのメンバーの為に販促手段として、宣伝されるでしよう。更に、そのリストの各品目は、それぞれのメンバーのもしくはそれぞれの品目のWEBサイトにリンクされ、興味を持った人の為に、写真、動画、静止画を問わずビデオイメージや関連情報の音声による説明を含む詳細なスペックを提供します。この仕様により、消費者は、興味を覚えたその品目に関する関連情報を、個人の自営業者や売り主のWEBサイトから直接、iphone(s)もしくは顧客の為設置されたコンピューターを利用し、リアルタイムで、即見つける事ができるようになります。
更に、自営業者や個人との交渉が必要となれば、消費者は、この発明の、声もしくはデーターによる「オンライン交渉」の仕様を利用し、いつ何時でも当事者の求めに応じ、提供できるよう、「オファー及びその受託」から「取引の完結」迄の交渉、販売課程に関する法的意義を持つログを維持する事が可能です。
更に、消費者は、リアルタイムでオンラインもしくはオフラインの福引き抽選を利用する事ができ、もし望むなら、証人としてあるいは営業上、法律上必要なものとして立会人を得て福引き抽選を行う事も可能です。
この方法を使用すれば、一人で、その「FleaMaClub」内に、数千のお店やビジネスを独立して経営する事も可能です。何故なら、誰も商品知識やサービスに関する説明を要しない為ほとんど自動小売店のような経営が可能だからです。更に、前述のように、これらのオペレーションは、自動化できるので、「FleaMaClub」は、お店の管理者も他の人員も必要なく経営でき、モバイルカメラのオペレーションに関する項目で述べたように、安全環境、もしくは社会的環境に依存するのみで、たった一つの中央制御センターから、この発明のオンラインビデオ及び安全仕様を利用する事により、すべての購入者がオンラインで支払い、リモートコントロールで特定のビジネスや商品をリリースする事が可能になります。
更に、各ボックスやハンガーのみならず、個々の商品に、それが非生物であるかもしくは動物、植物、魚類、等の生物であるかを問わず、URL(s)を指定する事により、購入者がその対応するWEBサイトにアクセスし、そこから詳細情報を取り出す事が今までになく簡単にできます。この仕様により、「FleaMaClub」の数千に上るメンバーは、僅かな投下資本で、それぞれのスペースやお店に物理的に詰める事なく、すべての販売処理を、合意した手数料を支払う事で、その「FleaMaClub」の管理者に任せる事ができるのです。
更に、前述のURL(s)の指定方法によれば、色々の人的交流及びビジネスを巻きこんだ画期的なビジネスが可能になります。例えば、もし似かよったURL(s)を持つ人が、そのURL(s)を表示したバッジを着用し、表に、あるいはビジネス関係者の集まる私的イベント等に出かけたなら、将来の雇用主に出会うかもしれません。そしてその雇用主見込み者は、その人のURL(s)にアクセスし、誰にも知られる事なく、その人の身分をチェックし、その人を雇用する気になるかもしれません。
も一つ例を挙げると、コンパニオンがほしいと望んでいる独身者は、w_w.Cqmate.Comオンラインコミュニティーにメンバーとして加入し、URL(s)を着用し、ホテルや、列車の駅、
飛行場などの公衆の集まる場所に出かける事ができます。これにより、興味を持った人は、その人のWEBサイトにアクセスし、その人のバックグラウンドをチェックし、個人的関係ヲ培うかどうか決める事ができます。
更に例を挙げると、w_w.Cqrides.comもしくはw_w.Cqlocals.comオンラインコミュニティーのメンバーが、ロンドンからLAXにUnited Airlineのフライトで到着したとします。このメンバーが例えばHollywood等のローカルな目的地に行きたいと願った時、このURL(s)のデカルをバンパー等に取り付けた車を探し、誰にも気づかれないようにiphone(s)に、その車両登録番号を入力し、その車の目的地や経路情報やドライバーの関連情報を見て、そのメンバーの意図や嗜好にあうか見極める事ができます。そのメンバーは、この得られた情報をチェックし、十分情報を得た上で、その車に乗せて貰うかどうか決める事ができます。
現発明の更なる実施形態には、電子通信の目的でiphoneに入力される電子メールアドレスを利用した、画期的な広告システムがあります。以前に説明したように、現発明のビジネス手法に参加する人は、システムに登録され、この「HOST SERVER」若しくは「Crew_Mbrs.Com」のもとで、ユニークなURL(s)を取得します。そしてそのメンバー若しくは「MBR of Crew_Mbrs.Com」は、「前述したように拡張性を持ち、幾何学的なフラクタル様式に成長可能な」形で、電子メールアドレスを取得します。これは、Crew_Mbrs.Com WEBサイトが、ホテルやレンタカー会社あるいは他の営利目的の実体に「FC GROUP」として、例えば、「SURFRIDERHOTEL.crew_mbrs.com」や電子メールアドレスとして「surfriderhotel@crew_mbrs.com」を使用できるよう提供する事を意味します。そしてこの「FC GROUP」は、後に「第２レベルのHOST SERVER」となり、同じURL  SURFRIDERHOTEL.crew_mbrs.comを取り入れ、そのゲストには「guestname@surfriderhotel.crew_mbrs.com」か「guestname.surfriderhotel@crew_mbrs.com」の電子メールアドレスを提供しながら、そのオンラインコミュニティーをオペレートします。更に、このSURFRIDER HOTELは、例えば、「第２レベルのMBRs（ホテル客）」に、何らかの利益（割り引きとか、特定時間内に限定した無料乗車とか）を供与してくれる「第２レベルのFC GROUP」として、レンタカー会社等に、僅かな費用でWEBサイトを開設提供し、「RENTACARAGENCY.surfriderhotel.crew_mbrs.com」等のURLの使用を許可する事もできます。
この「第２レベルのFC GROUP」は、後に「第３レベルのHOST SERVER」となり、「RENTACARAGENCY.surfriderhotel.crew_mbrs.com」なるオンラインコミュニティー
を運営し、その顧客若しくは「第３レベルのMBRs」に、「rentacarguestname@RENTACARAGENCY.surfridershotel.crew_mbrs.com」若しくは「rentacarguestname.RENTACARAGENCY.surfridershotel@crew_mbrs.com」等の電子メールアドレスを提供する事ができます。
加うるに、この「第３レベルのHOST SERVER」は、ナイトクラブや旅行ガイド等の競合しない企業や産業から、他の「第３レベルのFC GROUP」をリクルートし、「NITECLUB.rentacaragency.surfriderhotel.crew_mbrs.com」のようなURLの使用を許可し、その顧客若しくは「MBRs」からの電子メール「niteclubclientname@NITECLUB.rentacaragency.surfridershotel.crew_mbrs.com」や「niteclubclientname.niteclub.rentacaragency.surfridershotel@crew_mbrs.com」を
受信できるようにできます。
このように、現発明においては、ホテルのゲストや、レンタカー会社の顧客、ナイトクラブの顧客の参加者が、そのURLを利用しWEBページをホストし、すべてのプロバイダー若しくは「HOST SERVER」のURLを含んだ電子メールアドレスを持ち、電子商取引に従事する事が可能になります。
このようなWEBサイトや電子メールアドレスは全部、上記のようにiphone(s)を利用しアクセスできます。このユニークな電子メールアドレスには、サービスの提供者（ここでは、「crew_mbrs.com」や「surfridehotel」「rentacaragency」「niteclub」）が、他の人によりそのURLや電子メールアドレスが使用されるたびに、無料の宣伝を受けている事になるという点で利点があります。無料のWEBや電子メールサービスをゲストや顧客に提供できる事自体もその顧客がリピート客になる率が高いという事からもそのホテルやレンタカー会社、あるいは他の実体にとって利点となるでしよう。
このようなシステムは、ホテルやレンタカー会社のみならず、広告ベースの商業から収入を得ようとする実体（例えば、ガソリンスタンド、ドライブインレストラン、ナイトクラブ等）なら同等に適用できる事は、誰の目にも明白であろう。このビジネスモデルのフラクタル性を温存する限りにおいて、次のレベルの参加、そしてその次のレベルとどんどん参加が見込めるであろう。しかしながら、この手法のただ一つの欠点は、そのURL(s)や電子メールアドレスが、更に、追加広告主を促進しようと更に多くのレベルがURLに追加されれば、長くなり扱いにくく入力しにくくなるということです。この欠点は、上記で説明した、現発明の「URL BROADCAST、RECEPTION、RECOGNITION」（URLの放送、受信、認識）仕様により克服されるでしよう。
現発明のもう一つの実施形態に、「図１」の「iphone camera１０６」のように、静止画やビデオ撮影ができ、「iphone camera１０６」やインターネットを介し、画像を受信できるよう設定されたサーバーに送信する事ができる、iphone(s)とカメラの利用形態があります。この「iphone camera１０６」は、衣服、車両、看板等に表示された「URL(s)」のイメージを捕捉し、「iphone camera１０６」の専用ソフトウエアを利用する事により、このURL(s)が、「iphone camera１０６」に入力され、そのURL(s)により識別されるWEBページにアクセスできるのです。
カメラと「iphone」の組み合わせ或いは同様な機器（以下、「iphone-camera」という）は、w_w.Mobile_Camera.Com若しくはw_w.MblCam.Comのようなオンラインコミュニティーを創設する機会を提供します。このHOST SERVERは、「iphone-camera」を持つすべての人をメンバーとして登録し、無料WEBや電子メールサービス或いは無料若しくは有償で若しくは「超資本主義」概念のもとでの当該「HOST SERVER」の株券と「iphone-camera」資産の交換をオファーし、一方、写真家やプレス、テレビメディア、出版社など遠隔地で写真の取得を望む個人や他の実体を「FC GROUP」として登録し、同様に無料若しくは有償でWEBや電子メールサービスを提供します。このように、当該「HOST SERVER」w_w.Mobile_Camera.Com若しくはw_w.MblCam.Comは、新しいフラクタル組織をスタートする事ができます。
上記で述べたように、前述したインスタント登録仕様を利用しw_w.Mobile_Camera.Comやw_w.MblCam.Comの「MBRs」にリクルートする事や、上記で述べた写真やビデオを提供する為、「iphone-camera」オーナーをリクルートする為等に、色々の手法が使用されるでしよう。更に,メンバー（w_w.Mobile_Camera.Comやw_w.MblCam.Comの「MBRs」）の「iphone-camera(s)」は、「iphone-camera(s)」に信号を供給できるG.P.S受信機を含むでしよう。そしてその「iphone-camera(s)」は、インターネットを介し、w_w.Mobile_Camera.Comやw_w.MblCam.ComのWEBサーバーにその信号を送信する機能を持つでしよう。このようにして、当該「HOST SERVER」は、「MBRs」の位置を知り、その結果、当該「HOST SERVER」のみならず「FC GROUP」も「MBRs」を簡単に探しだす事が可能になり、その「FC GROUP」の好みの「MBR」の助力を得て、必要な特定場所の写真やビデオを取得できるのです。この「MBRs」は、すべての「MBRs」や参加しているすべてのFCグループのメンバーから「iphone-camera(s)」のリアルタイム通信仕様を利用し連絡を受ける事ができ、関係する当事者間においてどんな形のメッセージでも交換することができます。この写真撮影を含む補助作業に対し、その「FC GROUP」によりある料金が「iphone-camera」の所有者或いは「MBRs」に対し支払われるでしよう。その結果、撮影された写真、ビデオは、雇用され制作された作品となります。そしてこの写真或いはビデオの著作権は、その「FC GROUP」のメンバー若しくは遠隔写真撮影に係わったオペレーターのものとなります。
しかし多くの写真家は、このような作品の買い取りには満足できません。そこで、現発明は、この「FC GROUP」（写真家等）による遠隔操作で装着されたカメラをコントロールできるよう「iphone-camera(s)」を構成・設定する事を含む実施形態を考慮しています。
この実施形態では、その「iphone-camera」を所有する「MBRs」が、この「FC GROUP」メンバーである撮影者を補助する事に同意し、撮影場所に自らを若しくは「iphone-camera(s)」を移動するならば、この「FC GROUP」メンバーは、自分の意志でこの「iphone-camera(s)」を使用する事が可能になり、この「FC GROUP」メンバーである撮影者は、一撮影シーン毎についても、インターネットを介し受信する画面を見ながら、コントロール（例えば、フォーカス、シャッタースピード、パンやズーム等）し、「iphone-camera(s)」の画面或いは同様な画面状のもの等に表示されるシャッターボタン等を含むコントロールボタンを押しすべての「iphone camera(s)」の撮影し、撮影するタイミングや参加する「iphone-camera(s)」の切り替えタイミングを決定する事ができます。このようにして、この「FC GROUP」メンバーである撮影者のその作品の真の著作権を確保できるようになります。これらのオペレーションは、世界中の「Mobile_Camera.Com」オンラインコミュニティーの構成要素や所属員間の全面協力を要する事から、現発明により考慮されているフラクタル組織及び「超資本主義」概念が、この建設的な遠隔撮影サービスを、興味を持つ団体や「MBRs」に廉価で提供するのに重要となります。
下記に、現発明のこのフラクタル組織手法がどのようにして使用され、種種のグループを設立し組織するか、そして、どのようにして、そのメンバーや広告主見込み者や商品・サービスの提供者に対し、そのグループの利便性を最高限度まで引き出すかを例示します。
例えば、「w_w.Cqjobs.Com」オノラインコミュニティーは、求職者や失業者を「MBRs」として受け入れ、ヘッドハンターを「FC GROUP」の「MBRs」としてリクルートするでしよう。同様に、「w_w.Cqgals.Com」オンラインコミュニティーは、女性を「MBRs」としてリクルートし、見合いを望む男性を「FC GROUP」として、或いは逆の立場で、受け入れるでしよう。「w_w.CamperPark.Com」オンラインコミュニティーは、モーターホームや電気自動車や同様な車両などを「MBRs」としてリクルートし、前述した、より安いフックアップサービスを提供できる「超資本主義」のもとでのショッピングセンター駐車場等のオーナー等（午後１０時から翌朝午前１０時まで）を「FC GROUP」として受け入れるでしよう。
更なる例を挙げると、w_w.ABC-Apartments.in-Kyoto.Com  オンラインコミュニティーは、ABCアパート団地の住民を「MBRs」にそしてディスカウントしてくれるピザやランドリーの出前業者を「FC GROUP」に受け入れるでしよう。また、w_w.ABC_Hotel.In-Waikiki.Comオンラインコミュニティーは、ABCホテルのゲストすべてを「MBRs」として受け入れ、旅行社、レンタカー会社、等のこの「MBRs」から利益を享受できる観光業関連会社を「FC GROUP」として受け入れるでしよう。w_w.Rebrokers.On-Guam.Comオンラインコミュニティーは、グアムの不動産業者すべてを「MBRs」として、資産の販売を望む開発会社や実体を「FC GROUP」に受け入れ設立できるでしよう。
w_w.CustomerMbrs.Comオンラインコミュニティーは、電子メールアドレスの取得を望む人をすべて「MBRs」として受け入れ、会社名をその「MBRs」のスポンサーとして電子メールアドレスに含め宣伝に使用したいと望む実体を「FC GROUP」として、受け入れるでしよう。例えば、電子メールアドレスを望むZZZ会社の顧客であるJane Doe（「MBRs」）さんと会社名を宣伝したい「FC GROUP」であるZZZ会社とにおいては、以下のような無料電子メールアドレスをMBRであるJane Doeさんに提供するでしよう。
「jane_doe@ZZZ.GuestMbrs.Com」、「jane_doe@ZZZ.VipMbrs.Com」、「jane_doe@ZZZ.GoldMbrs.Com」或いは「jane_doe.ZZZ@GuestMbrs.Com」、「jane_doe.ZZZ@VipMbrs.Com」、「jane_doe.ZZZ@GoldMbrs.Com」
更に、マイケルジャクソン等のような有名人は、「FC GROUP」としての自分の名前を、「MBRs」に対して販売したいと思うかもしれません。そして、その場合の電子メールアドレスは、下記のようになるかもしれません。
１）  もし、Jane Doeがマイケルジャクソンのファンならば、
「jane_doe@Michael_Jackson.s-fanclub.com」に
２）  もし、Jane DoeもZZZ会社もマイケルジャクソンのファンであれば、
「jane_doe@ZZZ.Michael_Jackson.s-fanclub.com」又は
「jane_doe.ZZZ.Michael_Jackson@s-fanclub.com」となり、
３）  もし、Jane DoeもZZZ会社も両方ともマイケルジャクソンのサポーターであれば、
その電子メールアドレスは、「jane_doe@zzz.michael_jackson.s-supporter.com」又は
「jane_doe.zzz.michale_jackson@s-supporter.com」となるでしょう。
同様に、もし、Ｇブッシュ氏が、「FC GROUP」を作り、「MBRs」に対し自分の名前を宣伝したいと望むならば、下記のように、URLや電子メールアドレスのどこかに彼の名前を取り入れるよう求めるかもしれません。
１）  もしJane Doeが彼の支持者であるならば、
「jane_doe@G_BUSH.s_Advocate.com」や「jane_doe.G_BUSH@s-Advocate.Com」に、
２）  もし、Jane Doeがユナイテッド航空の社員で、どちらもブッシュ氏の支持者ならば、
「jane_doe@UnitedAirlines.G_BUSH.s-Advocate.Com」か
「jane_doe.UnitedAirlines.G_BUSH@s_Advocate.Com」となるでしよう。
以上でも明白なように、これらの「URL(s)」や電子メールアドレスが使用される毎に、付随するグループや個人の「MBRs」が利益を得る事になります。更に、他の例を挙げると、すべてのトラック運転手をメンバーに受け入れ集荷会社などを「FC GROUP」に受け入れるような或いは逆の立場で受け入れるような、w_w.CQLoad.Comやw_w.CQTruck.Comオンラインコミュニティー等も含まれます。この「MBRs」は、結果としてより多くの集荷が可能になり、双方が利益を享受できるでしよう。また、w_w.MblShops.Comやw_w.CQCarPool.Comは、カードライバーを「MBRs」として受け入れ、自動車メーカーや自動車産業関係者を「FC GROUP」として受け入れる事でしよう。
FleaMaMall.Comでは、「第１レベルのHOST SERVER」オンラインコミュニティーは、例えば、BROADWAY商店街を「第２レベルのHOST SERVER」として構成し、w_w.Braodway.FleaMaMall.Comと名付け、「第２レベルのMBRs」としてBROADWAY商店街の通行客を、無料WEBや電子メールをオファーしながらリクルートし、BROADWAY商店街の各店を「第２レベルFC GROUP」として、「第２レベルのMBRs」にディスカウント等の利益を供与するよう要請しリクルートする事により、通行人をBROADWAY商店街若しくはBROADWAY.w_w.FleaMaMall.Comコミュニティーの
顧客にする事ができます。
更に、各店若しくは「第２レベルFC GROUP」のメンバー（例えばABC店）は、「第３レベルHOST SERVER」となり、w_w.ABC.Broadway.FleaMaMall.Comオンラインコミュニティーを創設する事ができます。この「第３レベルのHOST SERVER」は、ABC店の顧客を、そのコミュニティーの「第３レベルのMBRs」として受け入れ、更にABC店の関連出入り業者等を「第３レベルFC GROUP」としてリクルートする事となります。この「FRACTAL ORGANIZATION（フラクタル組織）」概念及び現発明の他の概念等を回帰的に取り入れる事により、巨大なオンライン・フラクタル組織に成長し、或いは巨大な実コミュニティーに成長しすべての構成員に相互利益をもたらすでしよう。
本件発明の２，３の形態について描画し説明しましたが、この発明の精神やスコープからはずれる事なくイロイロの変更・修正が可能であることは、明白です。従って本件発明は、付帯請求項によるものを除き、制限されるものではありません。
【図面の簡単な説明】
【図１】本件発明の全体図。
【図２】車両登録番号により目的車両を見つける検索画面テンプレート図。
【図３】オンラインネゴシエーション仕様を起動しその証明ログをダウンロードするサンプルテンプレート図。
【図４】車両をその登録番号で登録する場合のサンプルテンプレート図。
【図５】フリーマーケットメンバーのホームページを送稿する時のサンプルテンプレート図。
【図６】FleaMa.Comオンラインコミュニティーがフラクタル組織に成長していくプロセスの図。
【図１】
2006506690.tif 000002
【図２】
2006506690.tif 000003
【図３】
2006506690.tif 000004
【図４】
2006506690.tif 000005
【図５】
2006506690.tif 000006
【図６】
2006506690.tif 000007
【手続補正書】
【提出日】平成15年4月7日(2003.4.7)
【手続補正１】
【補正対象書類名】明細書
【補正対象項目名】特許請求の範囲
【補正方法】変更
【補正の内容】
【特許請求の範囲】
【請求項１】
本件通信システムは、URLをもつオンライン・コミュニティのWEBサイトを開設提供するホストサーバーと、そのWEBサイトに付随するオンライン・コミュニティーであって、共通点を有する第１グループ及びそれと異なる共通点を有する第２グループからなるオンライン・コミュニティーと、インターネットを介しつながったホストサーバーと少なくとも一部無線で通信する為に、少なくとも第１グループの一員により使用されるインターネットに接続可能な電話のような移動体機器と、第２グループ団体及びそのオンラインコミュニティーを構成する第１グループ団体との間に通信を供するWEBサイトにアクセスする為に、そのWEBサイトのURLに付随する情報を入力する入力装置とを含む事を特徴とするシステムとビジネス方法。
【請求項２】
前記「請求項１」に記載する通信システムにおいて、当該WEBサイトのオンライン・コミュニティーURLに付随する情報は、そのWEBサイトのURLを含む事を特徴とするシステムとビジネス方法。
【請求項３】
前記「請求項１」に記載する通信システムは、更に、それぞれがそのオンライン・コミュニティーのWEBページにリンクする為に、当該入力装置に入力するそのオンライン・コミュニティーのURLを要素とするユニークなURLをそれぞれ持つ複数の対象物体もしくはサービスを含む事を特徴とするシステムとビジネスの方法。
【請求項４】
前記「請求項１」に記載する通信システムにおいて、当該入力装置はインターネット上でWEBサイトにアクセスする為そのURLを入力する為のキーを含む事を特徴とするシステムとビジネスの方法。
【請求項５】
前記「請求項１」に記載する通信システムにおいて、URLは第２グループに付随する対象物体に表示され、入力装置はそのURLのイメージを捕捉する為その移動体機器に付属するカメラ及び捕捉したイメージからURLを認識する為にその移動体機器に付随する認識ソフトを含む事を特徴とするシステムとビジネスの方法。
【請求項６】
前記「請求項５」に記載する通信システムにおいて、その対象物体は、車両である事を特徴とするシステムとビジネスの方法。
【請求項７】
前記「請求項５」に記載する通信システムにおいて、その対象物体は、第２グループに付随する人である事を特徴とするシステムとビジネスの方法。
【請求項８】
前記「請求項１」に記載する通信システムは、更に、移動体機器をインターネットにリンクする為、その移動体機器から離れた場所に設置された第１の送受信機と、その移動体機器に対しそのURLを放送する為、その移動体機器から離れた場所に設置された第２の送受信機を含む事を特徴とし、更にその入力装置は、インターネット上のWEBサイトにアクセスする事を目的とし、その放送されたURLを受信する為に移動体機器に添付された受信機及びその放送内容の中からURLを認識する為その移動体機器に関連づけられたソフトウエアから構成される事を特徴とするシステムとビジネスの方法。
【請求項９】
前記「請求項８」に記載する通信システムにおいて、その放送は、電磁はあるいは音波である事を特徴とするシステムとビジネスの方法。
【請求項１０】
前記「請求項９」に記載する通信システムにおいて、第２の送受信機は、その移動体機器が受信できる範囲内に設置された複数の第２送受信機、及びその複数の第２送受信機より放送される複数のURLを受信し、そのURLに関連づけられたWEBサイトにアクセスする為受信したURLより１個以上のURLを選択する為スキャンする受信機を持つ移動体機器を含む事を特徴とするシステムとビジネスの方法。
【請求項１１】
前記「請求項９」に記載する通信システムにおいて、その放送は、第２グループに付随する車両、看板、商品、動物、人から構成されるグループに付随する少なくとも１個の対象物体に具備された送受信機から送信される事を特徴とするシステムとビジネスの方法。
【請求項１２】
前記「請求項９」に記載する通信システムにおいて、その放送は、１個の対象物体に具備された送受信機より放送され、その放送は、そのオンライン・コミュニティーのWEBページを介し、その対象物体に関連づけられたある１個のWEBページにアクセスする為のユニークなURLに付随する情報を含む事を特徴とするシステムとビジネスの方法。
【請求項１３】
前記「請求項１」に記載する通信システムにおいて、その移動体機器は、WEBサイト上で第２グループ団体と第１グループ団体との間における通信の用に供する為、第１グループ団体のメンバーにより使用される複数の第１グループ移動体機器のうちの１個に加え、更に、第２グループ団体のメンバーにより使用される複数の第２グループ移動体機器を含む事を特徴とするシステムとビジネスの方法。
【請求項１４】
前記「請求項１３」に記載する通信システムにおいて、第１グループ団体の共通点は見込客であり、もう一方の第２グループの共通点は彼らが売り主である事を特徴とするシステムとビジネスの方法。
【請求項１５】
前記「請求項１３」に記載する通信システムにおいて、第２グループのメンバーは、複数の第２グループ移動体機器を利用し、他の第２グループの他のメンバーの用に供する為余剰要量を宣伝広告する事を特徴とするシステムとビジネスの方法。
【請求項１６】
前記「請求項１３」に記載する通信システムにおいて、第２グループ団体の共通点は、商品もしくはサービスを提供している事であり、第１グループの共通点は、当該第２グループ団体から提供されるその商品もしくはサービスの受領見込者である事を特徴とするシステムとビジネスの方法。
【請求項１７】
前記「請求項１４」に記載する通信システムは、更に、少なくとも一売り主による販売商品を含み、少なくとも一個の第２グループ移動体機器が、少なくとも一売り主により、少なくとも一売り主から少なくとも一見込客に対しその商品を譲渡する為の集合場所をアレンジする為少なくとも１個以上の第一グループ移動体機器が使用される事を特徴とするシステムとビジネスの方法。
【請求項１８】
前記「請求項１７」に記載する通信システムにおいて、その集合場所は、第２グループ団体メンバーの敷地内である事を特徴とするシステムとビジネスの方法。
【請求項１９】
前記「請求項１７」に記載する通信システムにおいて、第２グループ団体メンバーは、複数の第２グループ移動体機器を利用し、商品を展示する為に他の第２グループ団体メンバーの用に供する余剰スペースを宣伝する事を特徴とするシステムとビジネスの方法。
【請求項２０】
前記「請求項１３」に記載する通信システムにおいて、第２グループ団体メンバーは、複数の第２グループ移動体機器を利用し、第２グループ団体の余剰スペースの為に、第２グループ団体の他のメンバーと契約する事を特徴とするシステムとビジネスの方法。
【請求項２１】
前記「請求項１７」に記載する通信システムは、更に、その集合場所で少なくとも一売り主による追加商品の販売を含む事を特徴とするシステムとビジネスの方法。
【請求項２２】
前記「請求項１４」に記載する通信システムは、更に、売り主の車両に商品在庫が保管される事及び、少なくともその商品在庫の一部を少なくとも売り主の一人から少なくとも見込み客の一人に譲渡する目的で、通行経路上双方にとって合意できる停止場所を調整する為、複数の第１グループ移動体機器を介し見込み客と通信する事を目的とし、複数の第２グループ移動体機器が、売り主により利用される事を特徴とするシステムとビジネスの方法。
【請求項２３】
前記「請求項１４」に記載する通信システムにおいて、見込み客は、第１グループ移動体機器を介し売り主より提供される福引き抽選に参加する事を特徴とするシステムとビジネスの方法。
【請求項２４】
前記「請求項２３」に記載する通信システムにおいて、その見込み客が少なくとも一名の売り主との相互作用と引き換えに福引き抽選に参加した事を確定する為、その見込み客と複数の売り主の間のオンライン相互作用に関し電子記録が作られる事を特徴とするシステムとビジネスの方法。
【請求項２５】
前記「請求項２３」に記載する通信システムにおいて、福引き抽選はビンゴまたはキーノによるものである事を特徴とするシステムとビジネスの方法。
【請求項２６】
前記「請求項１４」に記載する通信システムにおいて、その見込み客は、売り主から商品を購入する事と引き替えに、賞品を得る事を目的に福引き抽選する機会を与えられる事を特徴とするシステムとビジネスの方法。
【請求項２７】
前記「請求項１４」に記載する通信システムにおいて、その見込み客は、第１グループの移動体機器を介し売り主の情報にアクセスする事と引き替えに、賞品を得る事を目的に福引き抽選する機会を与えられる事を特徴とするシステムとビジネスの方法。
【請求項２８】
前記「請求項１４」に記載する通信システムにおいて、その見込み客は、第１グループの移動体機器を介し、売り主により提供される販売促進的な福引き抽選に参加する事を特徴とするシステムとビジネスの方法。
【請求項２９】
前記「請求項１４」に記載する通信システムにおいて、その売り主は、第１グループの移動体機器を介し、その見込み客に値引きを提供する事を特徴とするシステムとビジネスの方法。
【請求項３０】
前記「請求項１４」に記載する通信システムにおいて、その売り主は、第１グループの移動体機器を介し、その見込み客に対し販売促進を提供する事を特徴とするシステムとビジネスの方法。
【請求項３１】
前記「請求項１」に記載する通信システムにおいて、第２グループ団体と第１グループ団体の間の交信は、第１グループ団体のメンバーより要求された第２グループ団体のメンバーからの情報を含む事、及びその情報には、その移動体機器が、その情報に関するパケットサイズを計算する手段及び、そのパケットサイズがその移動体機器で使用できるメモリー量を超えた場合、第１グループ団体のメンバーに警告する手段を含む事を特徴とするシステムとビジネスの方法。
【請求項３２】
前記「請求項１」に記載する通信システムにおいて、第２グループ団体と第１グループ団体間の交信は、第１グループ団体のメンバーから第２グループのメンバーに対し、第１グループ団体のメンバーが第２グループ団体のメンバーから販売目的で提供される商品及びサービスに関し交渉を望む意思を表示する為に電子メールを送付する事を特徴とするシステムとビジネスの方法。
【請求項３３】
前記「請求項１」に記載する通信システムにおいて、第２グループ団体と第１グループ団体との間の交信は、第１グループ団体のメンバーと第２グループ団体のメンバーとの間のオンライン販売交渉を含み、そのオンライン販売交渉に関し、記録が作られる事を特徴とするシステムとビジネスの方法。
【請求項３４】
前記「請求項１」に記載する通信システムは、更に、そのオンラインコミュニティーに対し、そのホストサーバーによって、ホームページのホスティング及び電子メールのサービスが提供される事を含む事を特徴とするシステムとビジネスの方法。
【請求項３５】
前記「請求項１」に記載する通信システムにおいて、第１グループ団体のメンバーは、第２グループ団体に新メンバーをリクルートする事に関し利益を享受できる事を特徴とするシステムとビジネスの方法。
【請求項３６】
前記「請求項３４」に記載する通信システムにおいて、第２グループ団体は、第１グループ団体に対し、そのオンラインコミュニティーURLを取り入れたホームページ及びそのオンラインコミュニティーURLを取り入れた電子メールアドレスを持つ電子メールアカウントを提供する事を特徴とするシステムとビジネスの方法。
【請求項３７】
前記「請求項１」に記載する通信システムは、更に、そのオンラインコミュニティーのURLを取り入れた第２のオンラインコミュニティーURLの一部を持つ第２のオンラインコミュニティーのWEBサイトをホスティングする為、第２グループ団体のメンバーにより使用される第２のホストサーバー含む事を特徴とするシステムとビジネスの方法。
【請求項３８】
前記「請求項３７」に記載する通信システムにおいて、第１のホストサーバーは、第２のグループ団体により、第１のグループ団体に対し提供されるホームページ（第１のオンラインコミュニティーURLを取り入れた第１グループのURLをもつホームページ）を、更に、第１のホストサーバーは、第２のグループ団体により、第１のグループ団体に対し提供される電子メールアカウント（第１のオンラインコミュニティーURLを同様に取り入れた電子メールアドレスをもつ電子メールアカウント）を、ホストする事を特徴とし、
第２のホストサーバーは、第４のグループ団体により、第３のグループ団体に対し提供されるホームページ（第２のオンラインコミュニティーURLを取り入れた第３グループのURLをもつホームページ）を、更に、第２のホストサーバーは、第４のグループ団体により、第３のグループ団体に対し提供される電子メールアカウント（第２のオンラインコミュニティーURLを同様に取り入れた電子メールアドレスをもつ電子メールアカウント）を、ホストする事を特徴とするシステムとビジネスの方法。
【請求項３９】
前記「請求項３８」に記載する通信システムにおいて、その移動体機器は、第１グループ団体のメンバーにより使用される複数の第１グループ移動体機器の１個であって、第２グループ団体のメンバーにより、WEBサイトを介し第２グループ団体と第１グループ団体の間の交信を提供する為に使用される複数の第２グループの移動体機器を含む事を特徴とし、更に、第２及び第４グループ団体のメンバーは、その移動体機器を利用する第１及び第３のグループ団体のメンバーに対し値引きする事、そして、第２及び第４グループ団体のメンバーは、同様にその移動体機器を利用する、第１及び第３グループ団体から購買する事を特徴とするシステムとビジネスの方法。
【請求項４０】
前記「請求項３７」に記載する通信システムは、更に、第２のオンラインコミュニティーWEBサイトをホスティングする第２グループ団体のメンバーの為の広告（第３グループ団体が、第２グループ団体のメンバーによる第２オンラインコミュニティーのWEBサイトのホステイングを促進できるよう、第２オンラインコミュニティーのURLを取り入れた第３グループ団体のURLの一部からなる広告、及び第２オンラインコミュニティーのURLを取り入れた電子メールアドレスの一部からなる広告）を含む事を特徴とするシステムとビジネスの方法。
【請求項４１】
前記「請求項３８」に記載する通信システムは、更に、第３のオンラインコミュニティーURL（第２のオンラインコミュニティーURL及び第１のオンラインコミュニティーURLを取り入れた第３のオンラインコミュニティーURLの一部）を持つ第３のオンラインコミュニティーWEBサイトをホストする為に、第４のグループ団体のメンバーにより使用される第３のホストサーバーを含む事を特徴とし、更に、第３のオンラインコミュニティーWEBサイトに付随する第３のオンラインコミュニティー（共通点を共有する第５グループ団体とそれと異なる共通点を共有する第６グループ団体からなる第３のオンラインコミュニティー）を含む事を特徴とするシステムとビジネスの方法。
【請求項４２】
前記「請求項１」に記載する通信システムにおいて、第６のグループ団体により、第５のグループ団体に対し提供されるホームページ（第２オンラインコミュニティーURLを取り入れた第５グループURLを持つホームページ）を、ホストする第３のホストサーバーを含む事を特徴とし、更に、第６のグループ団体により、第５のグループ団体に対し提供される電子メールアカウント（第２オンラインコミュニティーURLを同様に取り入れた電子メールアドレスを持つ電子メールアカウント）を、ホストする第３のホストサーバーを含む事を特徴とするシステムとビジネスの方法。
【請求項４３】
前記「請求項４２」に記載する通信システムにおいて、その移動体機器は、第１グループ団体のメンバーにより使用される複数の第１グループ移動体機器の１個であって、第２グループ団体のメンバーにより、WEBサイトを介し第２グループ団体と第１グループ団体間の交信を提供する為に使用される複数の第２グループの移動体機器を含む事を特徴とし、更に、第６団体のメンバーは、その移動体機器を利用する、第１、第３、第５のグループ団体のメンバーに対し値引きを提供する事、及び、第１、第３、第５グループ団体のメンバーは、同様にその移動体機器を利用する、第２、第４、第６グループ団体から購買する事を特徴とするシステムとビジネスの方法。
【請求項４４】
前記「請求項３９」に記載する通信システムにおいて、第２及び第４ループ団体のメンバーのうちいく人かは、第２、第４のグループ団体の他のメンバーにより提供されるその値引きを閲覧する事ができない事を特徴とするシステムとビジネスの方法。
【請求項４５】
前記「請求項３９」に記載する通信システムにおいて、第１及び第３グループ団体のメンバーのうちいく人かは、第１及び第３のグループ団体の他のメンバーにより提供されるその値引きを閲覧する事ができない事を特徴とするシステムとビジネスの方法。
【請求項４６】
前記「請求項１」に記載する通信システムは、更に、その実体の所有株と引き替え販売された余剰商品を含み、その余剰商品は、移動体機器を利用し、第１のオンラインコミュニティーを介し通信する事により、第２グループ団体により第１グループ団体に対し販売される事を特徴とするシステムとビジネスの方法。
【請求項４７】
前記「請求項４６」に記載する通信システムにおいて、余剰商品は、ある時点での余剰キャパ（容量）である事を特徴とするシステムとビジネスの方法。
【請求項４８】
前記「請求項４６」に記載する通信システムにおいて、余剰商品は、一定の期間に提供されるスペースである事を特徴とするシステムとビジネスの方法。
【請求項４９】
前記「請求項４６」に記載する通信システムにおいて、余剰商品は、エアラインの席である事を特徴とするシステムとビジネスの方法。
【請求項５０】
前記「請求項４６」に記載する通信システムにおいて、余剰商品は、お店の余剰スペースである事を特徴とするシステムとビジネスの方法。
【請求項５１】
前記「請求項１」に記載する通信システムにおいて、余剰商品は、一定の期間におけるお店の余剰スペースである事を特徴とするシステムとビジネスの方法。
【請求項５２】
前記「請求項１」に記載する通信システムは、更に、含む事を特徴とするシステムとビジネスの方法。
【請求項５３】
前記「請求項１」に記載する通信システムにおいて、第１グループ団体のメンバーは、URLを持つ求職者である事、そして、第２グループ団体のメンバーは、誰にもわからないように第１グループ団体のメンバーに付随する少なくとも一つのURLを取得し、少なくともその第１グループ団体のメンバーのうち一人の身分をチェックする目的で、そのオンラインコミュニティーのWEBサイトにアクセスする為、そのURLを入力装置に入力する雇用主見込者である事を特徴とするシステムとビジネスの方法。
【請求項５４】
前記「請求項１」に記載する通信システムにおいて、第２グループ団体のメンバーは、URLを持つ事、そして、第１グループ団体のメンバーは、誰にもわからないように第２グループ団体のメンバーに付随する少なくとも一つのURLを取得し、少なくともその第２グループ団体のメンバーのうち一人の情報をチェックする目的で、そのオンラインコミュニティーのWEBサイトにアクセスする為、そのURLを入力装置に入力する事を特徴とするシステムとビジネスの方法。
【請求項５５】
前記「請求項１」に記載する通信システムにおいて、第２グループ団体のメンバーは、連れ人を望みURLを持つ事、そして、第１グループ団体のメンバーも同様に連れ人を望み、そのオンラインコミュニティーのWEBサイトを介し通信する為、その移動体機器を利用しながら、少なくともその第２グループ団体のメンバーのうち一人のバックグラウンドをチェックする目的で、誰にもわからないように第２グループ団体のメンバーに付随するURLを取得する事を特徴とするシステムとビジネスの方法。
【請求項５６】
前記「請求項１」に記載する通信システムにおいて、第２グループ団体のメンバーは、特定の目的地への乗車を提供する事ができURLを持つ事、そして、第１グループ団体のメンバーは、特定の目的地への乗車を希望し、そのオンラインコミュニティーのWEBサイトを介し通信する為、その移動体機器を利用しながら、その目的地が適しているかどうかを決めるため、その第２グループ団体のメンバーに付随するURLを取得し、入力装置に入力する事を特徴とするシステムとビジネスの方法。
【請求項５７】
前記「請求項１」に記載する通信システムにおいて、その移動体機器は、第２グループ団体により希望されたイメージを取得する為に、そのホストサーバーを介し、第２グループ団体のメンバーにより少なくとも一部分はコントロールされたカメラを含む事を特徴とするシステムとビジネスの方法。
【請求項５８】
前記「請求項５７」に記載する通信システムにおいて、第２グループ団体によるそのコントロールは、その取得したイメージの著作権が、第１グループのメンバーではなく第２グループのメンバーに属するに十分である事を特徴とするシステムとビジネスの方法。
【請求項５９】
前記「請求項１」に記載する通信システムにおいて、第２グループ団体のメンバーは、URLを持つ求職者である事、そして、第１グループ団体のメンバーは、そのオンラインコミュニティーのWEBサイトを介し通信する為にその移動体機器を利用し身分をチェックする目的で、第２グループ団体のメンバーのURLを取得し入力装置に入力する、第１グループ団体に加わるよう、第２グループ団体のメンバーによりリクルートされたヘッドハンターである事を特徴とするシステムとビジネスの方法。
【請求項６０】
前記「請求項１」に記載する通信システムにおいて、第２グループ団体のメンバーは、URLを持つ求職者である事、そして、第１グループ団体のメンバーは、そのオンラインコミュニティーのWEBサイトを介し通信する為その移動体機器を利用し、身分をチェックする目的で、第２グループ団体のメンバーに付随するURLを、誰にもわからないように取得する雇用主見込者である事を特徴とするシステムとビジネスの方法。
【請求項６１】
前記「請求項１」に記載する通信システムにおいて、そのオンラインコミュニティーURLに付随する情報は車両登録番号であり、そのWEBサイトは、入力装置にその車両登録番号を入力する事によりアクセスされる事を特徴とするシステムとビジネスの方法。
【請求項６２】
本件通信システムは、更に、そのオンラインコミュニティーURLをもつオンラインコミュニティーWEBサイトをホスティングするホストサーバーと、そのWEBサイトに付随するオンラインコミュニティー（共通点を共有する第１グループ団体、及び異なる共通点を共有する第２グループ団体からなるオンラインコミュニティー）と、第２グループ団体のメンバーにより、第２オンラインコミュニティーのURL（第１のオンラインコミュニティーURLを取り入れた第２のオンラインコミュニティーURLの一部）を持つ第２オンラインコミュニティーをホストする為使用される第２ホストサーバーと、第２オンラインコミュニティーWEBサイトに付随する第２オンラインコミュニティー（共通点を共有する第３グループ団体及び異なる共通点を共有する第４グループ団体とからなる第２オンラインコミュニティー）とを含み、そしてこれらにおいて、第１、第２、第３、第４グループ団体は、第１と第２のオンラインコミュニティーのWEBサイトにアクセスする為、第１及び第２オンラインコミュニティーURLを使用しお互いに交信する事を特徴とするシステムとビジネスの方法。
【請求項６３】
第１団体と第２団体間の相互作用の方法は、第１団体に対し、WEBサーバー用の一つのURLかあるいは口座名からなるWEBアドレスを割り当てる事、その第１団体に対しこのWEBアドレスを付加する事、移動体機器への第２団体による当該WEBアドレスの入力、
第２団体による、その移動体機器上での第１団体に関する情報へのアクセス及び取り出し、そしてその当事者間で当該相互作用を提供するためその当事者と接続する事を含む事を特徴とするシステムとビジネスの方法。
【請求項６４】
本件通信システムは、オンラインコミュニティーURL（最初のサブドメイン及びドメイン句読点を持つオンラインコミュニティーURL）及びオンラインコミュニティー電子メール識別子（第１電子メール表示及び電子メール句読点を持つオンラインコミュニティー電子メール識別子）を持つ最初のオンラインコミュニティーをホステイングするホストサーバーと、既オンラインコミュニティーを介し、紹介された、又はリクルートされた、あるいは取引され流通した複数の追加オンラインコミュニティーに対する追加オンラインコミュニティーURL（その特定のオンラインコミュニティーに付随する各サブドメインと、その各追加サブドメインと既オンラインコミュニティーに対するサブドメインとを区切る句読点とを含むオンラインコミュニティーに付随するそれぞれの追加オンラインコミュニティーURL）を指定するホストサーバーに付随するソフトウエアと、
既オンラインコミュニティーを介し、紹介された、又はリクルートされた、あるいは取引され流通した複数の追加オンラインコミュニティーに対する追加オンラインコミュニティー電子メール識別子（その特定のオンラインコミュニティーに付随する各電子メール表示と、その各追加電子メール識別子と既オンラインコミュニティーに対する電子メール識別子とを区切る電子メール句読点とを含むオンラインコミュニティーに付随するそれぞれの追加オンラインコミュニティー電子メール識別子 ）を指定するホストサーバーに付随するソフトウエアと含む事を特徴とし、上記において、そのオンラインコミュニティーURLとその電子メール識別子は、紹介等が行われた既オンラインコミュニティーを識別する情報を伝達する事を特徴とするシステムとビジネスの方法。
【請求項６５】
前記「請求項６４」に記載する通信システムにおいて、追加オンラインコミュニティーURLを指定するそのホストサーバーに付随するソフトウエアと追加オンラインコミュニティー電子メール識別子を指定するホストサーバーに付随するソフトウエアは、複数の追加オンラインコミュニティーのうちのより多くの追加オンラインコミュニティーが実行される時は、特定のオンラインコミュニティーのサブドメインと電子メール識別子を取り除くよう設定する事ができる事を特徴とするシステムとビジネスの方法。
【請求項６６】
前記「請求項６４」に記載する通信システムにおいて、各オンラインコミュニティーはWEBサイトである事を特徴とするシステムとビジネスの方法。
【請求項６７】
前記「請求項６４」に記載する通信システムにおいて、各オンラインコミュニティーURLは、既オンラインコミュニティーの各サブドメイン及び電子メール識別子とその既オンラインコミュニティーに対応する接続・連絡情報にリンクする事を特徴とするシステムとビジネスの方法。
【請求項６８】
前記「請求項６４」に記載する通信システムにおいて、そのサブドメインは、接頭辞とユニークなサブドメインを含む事を特徴とするシステムとビジネスの方法。
【請求項６９】
前記「請求項６４」に記載する通信システムにおいて、電子メール識別子は、接頭辞とユニークな電子メール識別子を含む事を特徴とするシステムとビジネスの方法。
【請求項７０】
前記「請求項６４」に記載する通信システムにおいて、ホストサーバーにより提供されるWEBサイトに付随するソフトウエアは、自動的に、少なくともそのURLの中の一つのサブドメインにより識別される少なくとも一つの既オンラインコミュニティーに付随する活動の中から前もって決めた出来事を選択し、少なくともその他のオンラインコミュニティーの一つにその出来事を通知する事を特徴とするシステムとビジネスの方法。
【請求項７１】
前記「請求項６４」に記載する通信システムにおいて、そのソフトウエアは、自動的に、少なくとも一つの電子メール識別子により識別される少なくとも一つの既オンラインコミュニティーに付随する活動の中から前もって決めた出来事を選択し、少なくともその他のオンラインコミュニティーの一つにその出来事を通知する事を特徴とするシステムとビジネスの方法。
【請求項７２】
前記「請求項７１」に記載する通信システムにおいて、前もって決めた出来事は、少なくとも既オンラインコミュニティーの一つに対し情報の流通・配布を要する事業活動である事を特徴とするシステムとビジネスの方法。
【請求項７３】
前記「請求項７１」に記載する通信システムにおいて、前もって決めた出来事は、少なくとも既オンラインコミュニティーの一つに対し支払いを要する事業活動である事を特徴とするシステムとビジネスの方法。
【請求項７４】
ネットワーク上で福引き抽選を行う通信システムは、更に、あるロケーションに設置された移動体機器のユーザーインターフェイスをコントロールし、少なくとも一つのゲームを前もって設定した時間隔で、その買い主、その売り主、そしてそのロケーションがそれぞれオンラインコミュニティーURL（最初のサブドメインと句読点をもつオンラインコミュニティーURL、）とオンラインコミュニティー電子メール識別子（最初の電子メール表示とその句読点を持つオンラインコミュニティー電子メール識別子）により識別されているロケーションにいる売り主と買い主に対し、販売促進のベースとして、表示している少なくとも一つ以上のWEBサイトに付随するソフトウエアを蓄えているホストサーバーと、
その買い主に対する、福引き抽選の登録用紙の配布、及びその提出とその登録用紙の登録をコントロールするホストサーバーにより提供される少なくとも一つのWEBサイトに付随するソフトウエアと、その売り主に、その当った（勝った）買い主に賞金・賞品を与えさせ得るように、あらかじめ定めた時間隔で、ホストサーバーにより選択された当たりに照らしたオンラインゲーム結果を、そのユーザーインターフェイス上で表示するホストサーバーにより提供されるWEBサイトに付随するソフトウエアとを含み、
更に、そこでは、その買い主が、対応する賞金・賞品を受け取れるよう登録用紙に表示された電子メールアドレスに包含される電子メール識別子に従い、その買い主、その売り主、及びそのロケーションに対応する移動体ブラウザー機器に、オンラインゲーム結果が、直接送達される事を特徴とするシステムとビジネスの方法。
【請求項７５】
前記「請求項７４」に記載する通信システムにおいて、その売り主は、商品の流通の為、そのロケーションの一部を賃借しているか、リースしているか、さもなくば使用している事を特徴とするシステムとビジネスの方法。
【請求項７６】
前記「請求項７４」に記載する通信システムにおいて、その売り主は、商品の流通の為、そのロケーションの一部を利益分収方式により使用する事を特徴とするシステムとビジネスの方法。
【請求項７７】
前記「請求項７６」に記載する通信システムにおいて、その商品の流通は、そのロケーションにおいて、委託方式で履行される事を特徴とするシステムとビジネスの方法。
【請求項７８】
前記「請求項７４」に記載する通信システムにおいて、その登録用紙は、福引き抽選の為の対象画を前もって印刷したものを含む事を特徴とするシステムとビジネスの方法。
【請求項７９】
前記「請求項７４」に記載する通信システムにおいて、その登録用紙は、前もって印刷された副引き抽選用の対象になる画像と、その買い主の少なくとも一つの電子メール識別子、その売り主の少なくとも一つの電子メール識別子、そしてロケーションの少なくとも一つの電子メール識別子から構成されるその買い主の電子メールアドレス用空きスペースを含み、そこには、少なくともその買い主、売り主、ロケーションの電子メール識別子が記入される事を特徴とするシステムとビジネスの方法。
【請求項８０】
前記「請求項７９」に記載する通信システムにおいて、その前もって印刷された対象画は、そのロケーションによりランダムに選択され、その対象を見せる為には取り除く要ある物質でカバーされた番号を含む事を特徴とするシステムとビジネスの方法。
【請求項８１】
前記「請求項７４」に記載する通信システムにおいて、その登録用紙は、ランダムに選択され、その対象を見せる為には取り除く要ある物質でカバーされたあらかじめ印刷されたものを含む事を特徴とするシステムとビジネスの方法。
【請求項８２】
前記「請求項７４」に記載する通信システムにおいて、登録用紙の提出と登録は、その買い主により、認識ソフトウエアとそのロケーションに設置されたカメラ及びホストサーバーにより提供されるその売り主の商品及びサービスのWEBサイトに付随するコントロールソフトウエアとを利用する事で、その買い主の選択をマークした登録用紙の自動提出・登録を使用する事で達成される事を特徴とするシステムとビジネスの方法。
【請求項８３】
ネットワークへのアクセスを得るためのデータを認識するシステムは、カメラと、物体に表示されたデーターのイメージを捕捉する為それに付随するコントロールソフトウエアとを持つ移動体機器と、その物体に付随する少なくとも一つのWEBサイトにアクセスする為のデーターを認識する認識ソフトウエアとを含むものであって、そのデーターは、一つのドメインと、少なくともサブドメインか、インターネットプロトコルアドレスか、アカウント識別子か少なくとも一つの電子メール識別子かのうちいずれか一つを持つURLと、そのURLが、その物体を識別する情報（卸業者のサブドメイン、生産者のサブドメインと電子メールアドレスを含む情報）を含む、データーを表示する為その物体に付加された表示装置とを含むものであって、これらデーターは、第１のオンラインコミュニティーを代表し、データーの識別は、第１のオンラインコミュニティーと追加された少なくとも一つのオンラインコミュニティーとを接続する為使用される、事を特徴とするシステムとビジネスの方法。
【請求項８４】
前記「請求項８３」に記載するシステムは、更に信号を送受信する為に音波を送受信する装置を含む事を特徴とするシステムとビジネスの方法。
【請求項８５】
前記「請求項８３」に記載するシステムは、更に信号を送受信する為に電波を送受信する装置を含む事を特徴とするシステムとビジネスの方法。
【請求項８６】
前記「請求項８３」に記載するシステムは、更に信号を送受信する為に光波を送受信する装置を含む事を特徴とするシステムとビジネスの方法。
【請求項８７】
前記「請求項８３」に記載するシステムにおいて、そのURLは、アカウント識別子を含む事を特徴とするシステムとビジネスの方法。
【請求項８８】
前記「請求項８３」に記載するシステムにおいて、そのURLは、ユーザーがそのURL中で特定された複数のサブドメインと複数のドメインにリンクされたWEBサイトにアクセスできるよう、複数のドメインと複数のサブドメインを含むものである事を特徴とするシステムとビジネスの方法。
【請求項８９】
前記「請求項８３」に記載するシステムにおいて、そのURLは、ユーザーがそのURL中に特定された複数の電子メール識別子にリンクされたWEBサイトもしくは電子メールアドレスもしくは連絡場所にアクセスできるよう、複数の電子メール識別子を含むものである事を特徴とするシステムとビジネスの方法。
【請求項９０】
前記「請求項８３」に記載するシステムにおいて、表示されたデーターイメージの捕捉は、ユーザーにその対象物体に関する知的財産権を取得させうる事を特徴とするシステムとビジネスの方法。
【請求項９１】
前記「請求項８３」に記載するシステムは、更に、ユーザーの移動体機器とネットワークを接続する装置（そのユーザーがその対象物体に関連するWEBサイトに接続しうるよう、そのロケーションにおいて、一対象物体に取り付けられた装置）を含む事を特徴とするシステムとビジネスの方法。
【請求項９２】
前記「請求項９１」に記載するシステムにおいて、その装置は、URLカードもしくはURL ICカードのようなカードである事を特徴とするシステムとビジネスの方法。
【請求項９３】
前記「請求項９２」に記載するシステムにおいて、そのURLカードもしくはURL ICカードは、少なくとも一つのサブドメイン、少なくとも一つのドメインもしくは少なくとも一つの電子メールアドレスを含む事を特徴とするシステムとビジネスの方法。
【請求項９４】
前記「請求項８３」に記載するシステムにおいて、そのロケーションは、無人の遠隔操作による店舗であり、その表示装置は、各商品に取り付けられ、あらかじめ定めた時間隔で、繰り返し、そのURLを表示するものである事、そしてそのURLは、卸業者、生産者、及びその商品の流通に携わった他の団体のサブドメイン及びその卸業者、生産者、及びその商品の流通に携わった他の団体それぞれの電子メール識別子を含む事、そして、そのURLと電子メール識別子は、その商品情報を表わしている事、そして、その表示装置は、キャッシュカード、クレジットカードあるいはその商品代金支払いに要する他の支払い手段を受け付けるものである事を特徴とするシステムとビジネスの方法。
【請求項９５】
前記「請求項９３」に記載するシステムにおいて、商品リリース装置は、代金支払後そのユーザーにその商品をリリースできうるよう、各商品に取り付けられたものである事を特徴とするシステムとビジネスの方法。
【国際調査報告】
2006506690.tif 000008